(57)【特許請求の範囲】
【請求項１】
無線通信システムにおいて基地局によって位置ベースサービス（ＬＢＳ）のための位置測定信号を転送する方法であって、前記方法は、
前記基地局により、全スーパーフレーム内で、第１のフレームの第１のＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）シンボル内でセカンダリアドバンストプリアンブルを、第２のフレームの第１のＯＦＤＭＡシンボル内でプライマリアドバンストプリアンブルを、第３のフレームの第１のＯＦＤＭＡシンボル内で前記セカンダリアドバンストプリアンブルを転送することと、
複数の所定の時間／周波数リソースの中の１つの所定の時間／周波数リソース上で前記位置測定信号を転送することであって、前記複数の所定の時間／周波数リソースの各々は、前記位置測定信号の転送のために構成された位置測定ゾーンの間に、複数の所定のキャリアセットの中の１つと、複数の所定のＯＦＤＭＡシンボルの中の１つとともに構成される、ことと
を含み、
前記全スーパーフレームは、４つのフレームを含み、前記４つのフレームの各々は、複数のサブフレームを含み、前記複数のサブフレームの各々は、複数のＯＦＤＭＡシンボルを含み、
前記位置測定ゾーンは、複数の連続スーパーフレームをスパンし、
前記複数の所定のＯＦＤＭＡシンボルは、前記位置測定ゾーンによってスパンされた前記複数の連続スーパーフレーム内のそれぞれの第４のフレームの第１のＯＦＤＭＡシンボルであり、
前記位置測定信号が転送される前記１つの所定の時間／周波数リソースは、前記基地局に与えられたセルアイデンティティに基づいて、前記複数の所定の時間／周波数リソースの中から決定される、方法。
【請求項２】
前記位置測定ゾーンがアクティブ化されているか否かを示す情報を含むスーパーフレームヘッダ（ＳＦＨ）を転送することをさらに含む、請求項１に記載の方法。
【請求項３】
前記ＳＦＨは、前記位置測定ゾーンの転送周期を示す情報を含む、請求項２に記載の方法。
【請求項４】
無線通信システムにおいて位置ベースサービス（ＬＢＳ）のための位置測定信号を転送する基地局であって、前記基地局は、
前記位置測定信号を転送するように構成された送信器と、
プロセッサであって、
全スーパーフレーム内で、第１のフレームの第１のＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）シンボル内でセカンダリアドバンストプリアンブルを、第２のフレームの第１のＯＦＤＭＡシンボル内でプライマリアドバンストプリアンブルを、第３のフレームの第１のＯＦＤＭＡシンボル内で前記セカンダリアドバンストプリアンブルを転送するように前記送信器を制御することと、
複数の所定の時間／周波数リソースの中の１つの所定の時間／周波数リソース上で前記位置測定信号を転送するように前記送信器を制御することであって、前記複数の所定の時間／周波数リソースの各々は、前記位置測定信号の転送のために構成された位置測定ゾーンの間に、複数の所定のキャリアセットの中の１つと、複数の所定のＯＦＤＭＡシンボルの中の１つとともに構成される、ことと
を行うように構成されている、プロセッサと
を含み、
前記全スーパーフレームは、４つのフレームを含み、前記４つのフレームの各々は、複数のサブフレームを含み、前記複数のサブフレームの各々は、複数のＯＦＤＭＡシンボルを含み、
前記位置測定ゾーンは、複数の連続スーパーフレームをスパンし、
前記複数の所定のＯＦＤＭＡシンボルは、前記位置測定ゾーンによってスパンされた前記複数の連続スーパーフレーム内のそれぞれの第４のフレームの第１のＯＦＤＭＡシンボルであり、
前記位置測定信号が転送される前記１つの所定の時間／周波数リソースは、前記基地局に与えられたセルアイデンティティに基づいて、前記複数の所定の時間／周波数リソースの中から決定される、基地局。
【請求項５】
前記プロセッサは、前記位置測定ゾーンがアクティブ化されているか否かを示す情報を含むスーパーフレームヘッダ（ＳＦＨ）を転送するように前記送信器を制御するように構成されている、請求項４に記載の基地局。
【請求項６】
前記ＳＦＨは、前記位置測定ゾーンの転送周期を示す情報を含む、請求項５に記載の基地局。
【請求項７】
無線通信システムにおいてユーザー機器によって位置ベースサービス（ＬＢＳ）のための位置測定信号を受信する方法であって、前記方法は、
全スーパーフレーム内で、第１のフレームの第１のＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）シンボル内でセカンダリアドバンストプリアンブルを、第２のフレームの第１のＯＦＤＭＡシンボル内でプライマリアドバンストプリアンブルを、第３のフレームの第１のＯＦＤＭＡシンボル内で前記セカンダリアドバンストプリアンブルを受信することと、
複数の所定の時間／周波数リソースの中の１つの所定の時間／周波数リソース上で前記位置測定信号を基地局から受信することであって、前記複数の所定の時間／周波数リソースの各々は、前記位置測定信号の受信のために構成された位置測定ゾーンの間に、複数の所定のキャリアセットの中の１つと、複数の所定のＯＦＤＭＡシンボルの中の１つとともに構成される、ことと
を含み、
前記全スーパーフレームは、４つのフレームを含み、前記４つのフレームの各々は、複数のサブフレームを含み、前記複数のサブフレームの各々は、複数のＯＦＤＭＡシンボルを含み、
前記位置測定ゾーンは、複数の連続スーパーフレームをスパンし、
前記複数の所定のＯＦＤＭＡシンボルは、前記位置測定ゾーンによってスパンされた前記複数の連続スーパーフレーム内のそれぞれの第４のフレームの第１のＯＦＤＭＡシンボルであり、
前記位置測定信号が受信される前記１つの所定の時間／周波数リソースは、前記基地局に与えられたセルアイデンティティに依存する、方法。
【請求項８】
前記基地局から、前記位置測定ゾーンがアクティブ化されているか否かを示す情報を含むスーパーフレームヘッダ（ＳＦＨ）を受信することをさらに含む、請求項７に記載の方法。
【請求項９】
前記ＳＦＨは、前記位置測定ゾーンの転送周期を示す情報を含む、請求項８に記載の方法。
【請求項１０】
無線通信システムにおいて位置ベースサービス（ＬＢＳ）のための位置測定信号を受信するユーザー機器であって、前記ユーザー機器は、
基地局から前記位置測定信号を受信するように構成された受信器と、
プロセッサであって、
全スーパーフレーム内で、第１のフレームの第１のＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）シンボル内でセカンダリアドバンストプリアンブルを、第２のフレームの第１のＯＦＤＭＡシンボル内でプライマリアドバンストプリアンブルを、第３のフレームの第１のＯＦＤＭＡシンボル内で前記セカンダリアドバンストプリアンブルを受信するように前記受信器を制御することと、
複数の所定の時間／周波数リソースの中の１つの所定の時間／周波数リソース上で前記位置測定信号を受信するように前記受信器を制御することであって、前記複数の所定の時間／周波数リソースの各々は、前記位置測定信号の受信のために構成された位置測定ゾーンの間に、複数の所定のキャリアセットの中の１つと、複数の所定のＯＦＤＭＡシンボルの中の１つとともに構成される、ことと
を行うように構成されている、プロセッサと
を含み、
前記全スーパーフレームは、４つのフレームを含み、前記４つのフレームの各々は、複数のサブフレームを含み、前記複数のサブフレームの各々は、複数のＯＦＤＭＡシンボルを含み、
前記位置測定ゾーンは、複数の連続スーパーフレームをスパンし、
前記複数の所定のＯＦＤＭＡシンボルは、前記位置測定ゾーンによってスパンされた前記複数の連続スーパーフレーム内のそれぞれの第４のフレームの第１のＯＦＤＭＡシンボルであり、
前記位置測定信号が受信される前記１つの所定の時間／周波数リソースは、前記基地局に与えられたセルアイデンティティに依存する、ユーザー機器。
【請求項１１】
前記受信器は、さらに、前記基地局から、前記位置測定ゾーンがアクティブ化されているか否かを示す情報を含むスーパーフレームヘッダ（ＳＦＨ）を受信する、請求項１０に記載のユーザー機器。
【請求項１２】
前記ＳＦＨは、前記位置測定ゾーンの転送周期を示す情報を含む、請求項１１に記載のユーザー機器。
【発明の詳細な説明】
【技術分野】
【０００１】
本発明は、無線通信システムに係り、特に、無線通信システムにおいて基地局が位置ベースサービスを提供するための信号を転送する方法及び装置に関するものである。また、当該信号を受信して端末の位置を測定する方法及び装置に関するものである。
【背景技術】
【０００２】
端末の地理的位置は、基本的に、複数のセルから送信された信号の遅延時間を測定して計算する。そのため、端末の位置を測定するには、少なくとも３個以上の信号が要求される。これに基づいて端末の位置を計算する種々の方法があり、主に、信号到達時間差検出（Ｏｂｓｅｒｖｅｄ  Ｔｉｍｅ  Ｄｉｆｆｅｒｅｎｃｅ  Ｏｆ  Ａｒｒｉｖａｌ；ＯＴＤＯＡ）手法が用いられる。
【０００３】
図１は、端末位置を測定するためのＯＴＤＯＡ手法の概念図である。
【０００４】
図１を参照すると、ＯＴＤＯＡ手法は、各セルから送信された信号が端末に到達したタイミング差を用いて端末の位置を測定するもので、この端末は、各セルから受信した信号の遅延時間を測定してそれをサービングセル（ｓｅｒｖｉｎｇ  ｃｅｌｌ）またはアンカーセル（ａｎｃｈｏｒ  ｃｅｌｌ）に報告し、サービングセルは、報告された遅延時間を用いて当該端末の位置を測定する。
【０００５】
一方、高品質の通信サービスを提供するために、ネットワーク内の端末の位置及び／または端末と関連しているエンティティ（ｅｎｔｉｔｙ）の位置をより正確に決定する必要があり、そのための位置測定方式への要求が高まっている。そこで、既存無線フレームの構造への影響を最小化しながら進歩した（ａｄｖａｎｃｅｄ）位置決定方案が提供される必要がある。
【発明の概要】
【発明が解決しようとする課題】
【０００６】
本発明は、既存無線フレーム構造への影響を最小化しながら位置ベースサービスのための位置測定用信号を転送する方案を提示する。
【０００７】
また、既存の無線フレームに割り当てられた参照信号、制御信号への影響を最小化しながら位置ベースサービスのための位置測定用信号をスーパーフレームに割り当てる方案を提示する。
【０００８】
また、上記位置測定用信号の転送される位置に関する情報を端末に転送する方案を提示する。
【０００９】
本発明が達成しようとする技術的課題は、以上に言及した技術的課題に制限されず、言及していない他の技術的課題は、下記する発明の詳細な説明から、本発明の属する技術の分野における通常の知識を有する者には明らかになるであろあろう。
【課題を解決するための手段】
【００１０】
本発明は、無線通信システムに関するものである。特に、本発明は、無線通信システムにおいて端末の位置を決定するための位置測定用同期信号を転送するために、一つ以上のスーパーフレームにわたって構成される位置測定用ゾーンを転送するにあって、前記位置測定用ゾーンが転送されるか否かを示す情報を含むスーパーフレームヘッダを端末に転送する。
【００１１】
本発明の一様相として、無線通信システムにおいて基地局が位置ベースサービスのための位置測定用信号を転送するにあって、一つ以上のスーパーフレームにわたって構成された位置測定用ゾーン（ｚｏｎｅ）を転送し、前記ゾーン内のフレームの１番目のシンボルの少なくとも一つに位置測定用同期信号を転送こと、及び前記ゾーンが転送されるか否かを示す情報を含むスーパーフレームヘッダ（ＳｕｐｅｒＦｒａｍｅＨｅａｄｅｒ、ＳＦＨ）を転送すること、を含む、位置測定用信号転送方法が提供される。
【００１２】
本発明の他の様相として、無線通信システムにおいて基地局が位置ベースサービスのための位置測定用信号を転送するにあって、端末に無線信号を転送するように構成された送信器を含み、一つ以上のスーパーフレームにわたって構成された位置測定用ゾーン（ｚｏｎｅ）を転送し、前記ゾーン内のフレームの１番目のシンボルの少なくとも一つに位置測定用同期信号を転送するように送信器を制御し、かつ前記ゾーンが転送されるか否かを示す情報を含むスーパーフレームヘッダ（ＳｕｐｅｒＦｒａｍｅ  Ｈｅａｄｅｒ、ＳＦＨ）を転送するように構成された基地局が提供される。
【００１３】
本発明のさらに他の様相として、無線通信システムにおいて端末が該端末の位置決定のための位置関連情報を測定するにあって、複数の基地局のそれぞれから一つ以上のスーパーフレームで構成された位置測定用ゾーンの転送を示す情報を含むスーパーフレームヘッダ（ＳｕｐｅｒＦｒａｍｅ  Ｈｅａｄｅｒ、ＳＦＨ）を受信すること、前記複数の基地局のそれぞれの該当の位置測定用ゾーンで該当の位置測定用同期信号を受信すること、及び前記複数の基地局から受信した前記位置測定用同期信号に基づいて前記位置関連情報を測定することを含み、前記各基地局の位置測定用同期信号は、該当の基地局の位置測定用ゾーン内のフレームの１番目のシンボルの少なくとも一つで受信される、端末の位置決定方法が提供される。
【００１４】
本発明のさらに他の様相として、無線通信システムにおいて端末の位置決定のための位置関連情報を測定するにあって、複数の基地局のそれぞれから一つ以上のスーパーフレームで構成された位置測定用ゾーンの転送を示す情報を含むスーパーフレームヘッダ（ＳｕｐｅｒＦｒａｍｅ  Ｈｅａｄｅｒ、ＳＦＨ）を受信し、前記複数の基地局のそれぞれの該当の位置測定用ゾーンで該当の位置測定用同期信号を受信するように構成された受信器と、前記複数の基地局から受信した前記位置測定用同期信号に基づいて前記位置関連情報を測定するように構成されたプロセッサと、を含み、前記受信器は、前記各基地局の位置測定用同期信号を該当の基地局の位置測定用ゾーン内のフレームの１番目のシンボルの少なくとも一つで受信する、端末が提供される。
【００１５】
本発明の各様相において、前記スーパーフレームヘッダは、前記ゾーンの転送周期を示す情報を含むことができる。
【００１６】
本発明の各様相において、前記少なくとも一つのシンボルは、前記スーパーフレーム内の１番目、３番目及び４番目のフレームの１番目のシンボルのうち、既に指定されたシンボルでよい。
【００１７】
本発明の各様相において、前記少なくとも一つのシンボルは、複数の搬送波セットに区分され、前記位置測定用同期信号は、前記複数の搬送波セットの少なくとも一つの搬送波セットで転送され、前記ゾーン内の前記位置測定用同期信号が転送される前記少なくとも一つのシンボル及び前記少なくとも一つの搬送波セットは、前記基地局に与えられたセルＩＤに依存することができる。
【００１８】
本発明の各様相において、隣接基地局が位置測定用同期信号を転送する位置測定用ゾーン区間では、前記既に指定されたシンボルをミュートすることができる。
【００１９】
上記の技術的解決方法は、本発明の実施例の一部に過ぎず、当該技術の分野における通常の知識を有する者には、本願発明の技術的特徴の反映された様々な実施例が、以下の本発明の詳細な説明から導出されて理解されるであろう。
【発明の効果】
【００２０】
本発明の実施例によれば、既存無線フレーム構造への影響を最小化しながら位置ベースサービスのための位置測定用信号を転送することが可能になる。
【００２１】
また、本発明の実施例によれば、既存無線フレームに割り当てられた参照信号、制御信号への影響を最小化しながら位置ベースサービスのための位置測定用信号をサブフレームに割り当てることが可能である。
【００２２】
また、本発明の実施例によれば、位置測定に参加するセル同士の干渉を減らすことができ、位置測定用信号に基づいて端末の位置測定性能を向上させることが可能になる。
【００２３】
また、本発明の実施例によれば、位置測定用信号が転送されるスーパーフレームを示す情報を端末にシグナリングすることで、該端末は、多数のスーパーフレームのうち、位置測定用信号が転送されるスーパーフレームを容易に識別することができる。
本発明は、例えば以下の項目を提供する。
（項目１）
無線通信システムにおいて基地局が位置ベースサービスのための位置測定用信号を転送する方法であって、
一つ以上のスーパーフレームにわたって構成された位置測定用ゾーン（ｚｏｎｅ）を転送し、前記ゾーン内のフレームの１番目のシンボルの少なくとも一つに位置測定用同期信号を転送し、
前記ゾーンが転送されるか否かを示す情報を含むスーパーフレームヘッダ（ＳｕｐｅｒＦｒａｍｅ  Ｈｅａｄｅｒ、ＳＦＨ）を転送すること、
を含む、位置測定用信号転送方法。
（項目２）
前記スーパーフレームヘッダは、前記ゾーンの転送周期を示す情報を含む、項目１に記載の位置測定用信号転送方法。
（項目３）
前記少なくとも一つのシンボルは、前記スーパーフレーム内の１番目、３番目及び４番目のフレームの１番目のシンボルのうち、既に指定されたシンボルである、項目１または２に記載の位置測定用信号転送方法。
（項目４）
前記少なくとも一つのシンボルは、複数の搬送波セットに区分され、前記位置測定用同期信号は、前記複数の搬送波セットの少なくとも一つの搬送波セットで転送され、
前記ゾーン内の前記位置測定用同期信号が転送される前記少なくとも一つのシンボル及び前記少なくとも一つの搬送波セットは、前記基地局に与えられたセルＩＤに依存する、項目３に記載の位置測定用信号転送方法。
（項目５）
隣接基地局が位置測定用同期信号を転送する位置測定用ゾーン区間では、前記既に指定されたシンボルをミュートすることをさらに含む、項目３に記載の位置測定用信号転送方法。
（項目６）
無線通信システムにおいて位置ベースサービスのための位置測定用信号を転送する基地局であって、
端末に無線信号を転送するように構成された送信器と、、
一つ以上のスーパーフレームにわたって構成された位置測定用ゾーン（ｚｏｎｅ）を転送し、前記ゾーン内のフレームの１番目のシンボルの少なくとも一つに位置測定用同期信号を転送するように送信器を制御し、かつ前記ゾーンが転送されるか否かを示す情報を含むスーパーフレームヘッダ（Ｓｕｐｅｒ  ＦｒａｍｅＨｅａｄｅｒ、ＳＦＨ）を転送するように構成された、基地局。
（項目７）
前記プロセッサは、前記ゾーンの転送周期を示す情報を含むように前記スーパーフレームヘッダを構成するように構成された、項目６に記載の基地局。
（項目８）
前記プロセッサは前記スーパーフレーム内の１番目、３番目及び４番目フレームの１番目のシンボルのうち、既に指定されたシンボルを前記少なくとも一つのシンボルとして用いるように前記送信器を制御する、項目６または７に記載の基地局。
（項目９）
前記プロセッサは、前記少なくとも一つのシンボルを複数の搬送波セットに区分し、前記複数の搬送波セットの少なくとも一つの搬送波セットに前記位置測定用同期信号を割り当てるように前記送信器を制御し、前記基地局に与えられたセルＩＤに依存して前記ゾーン内の前記位置測定用同期信号が転送される前記少なくとも一つのシンボル及び前記少なくとも一つの搬送波セットを決定するように構成された、項目８に記載の基地局。
（項目１０）
前記プロセッサは、隣接基地局が位置測定用同期信号を転送する位置測定用ゾーン区間では、前記既に指定されたシンボルをミュートするように前記送信器を制御するように構成された、項目８に記載の基地局。
（項目１１）
無線通信システムにおいて端末が該端末の位置決定のための位置関連情報を測定する方法であって、
複数の基地局のそれぞれから一つ以上のスーパーフレームで構成された位置測定用ゾーンの転送を示す情報を含むスーパーフレームヘッダ（ＳｕｐｅｒＦｒａｍｅ  Ｈｅａｄｅｒ、ＳＦＨ）を受信し、
前記複数の基地局のそれぞれの該当の位置測定用ゾーンで、該当の位置測定用同期信号を受信し、
前記複数の基地局から受信した前記位置測定用同期信号に基づいて前記位置関連情報を測定すること、
を含み、
前記各基地局の位置測定用同期信号は、該当の基地局の位置測定用ゾーン内のフレームの１番目のシンボルの少なくとも一つで受信される、端末の位置測定方法。
（項目１２）
前記スーパーフレームヘッダは、前記ゾーンの転送周期を示す情報を含む、項目１１に記載の端末の位置測定方法。
（項目１３）
前記少なくとも一つのシンボルは、前記スーパーフレーム内の１番目、３番目及び４番目のフレームの１番目のシンボルのうち、既に指定されたシンボルである、項目１１または１２に記載の端末の位置測定方法。
（項目１４）
前記少なくとも一つのシンボルは、複数の搬送波セットに区分され、前記該当の基地局の位置測定用同期信号は、前記複数の搬送波セットの少なくとも一つの搬送波セットで転送され、
前記該当の基地局の位置測定用同期信号が転送される前記少なくとも一つのシンボル及び前記少なくとも一つの搬送波セットは、前記該当の基地局に与えられたセルＩＤに依存する、項目１３に記載の端末の位置測定方法。
（項目１５）
無線通信システムにおいて端末の位置決定のための位置関連情報を測定するにあって、
複数の基地局のそれぞれから一つ以上のスーパーフレームで構成された位置測定用ゾーンの転送を示す情報を含むスーパーフレームヘッダ（ＳｕｐｅｒＦｒａｍｅ  Ｈｅａｄｅｒ、ＳＦＨ）を受信し、前記複数の基地局のそれぞれの該当の位置測定用ゾーンで該当の位置測定用同期信号を受信するように構成された受信器と、
前記複数の基地局から受信した前記位置測定用同期信号に基づいて前記位置関連情報を測定するように構成されたプロセッサと、
を含み、
前記受信器は、前記各基地局の位置測定用同期信号を、該当の基地局の位置測定用ゾーン内のフレームの１番目のシンボルの少なくとも一つで受信する、端末。
（項目１６）
前記スーパーフレームヘッダは、前記ゾーンの転送周期を示す情報を含む、項目１５に記載の端末。
（項目１７）
前記少なくとも一つのシンボルは、前記スーパーフレーム内の１番目、３番目及び４番目のフレームの１番目のシンボルのうち、既に指定されたシンボルである、項目１５または１６に記載の端末。
（項目１８）
前記少なくとも一つのシンボルは、複数の搬送波セットに区分され、前記該当の基地局の位置測定用同期信号は、前記複数の搬送波セットの少なくとも一つの搬送波セットで転送され、
前記プロセッサは、前記該当の基地局に与えられたセルＩＤに基づいて前記該当の基地局の位置測定用同期信号が転送された前記少なくとも一つのシンボル及び前記少なくとも一つの搬送波セットを決定するように構成された、項目１７に記載の端末。
【００２４】
本発明から得られる効果は、以上に言及した効果に制限されず、言及していない他の効果は、以下の発明の詳細な説明から、本発明の属する技術の分野における通常の知識を有する者には明確に理解されるであろう。
【図面の簡単な説明】
【００２５】
【図１】端末位置を測定するためのＯＴＤＯＡ手法の概念図である。
【図２】本発明を行う端末及び基地局の構成要素を示すブロック図である。
【図３】端末及び基地局内の送信器構造の一例を示す図である。
【図４】無線通信システムにおいて用いられる無線フレーム構造の一例を示す図である。
【図５】無線フレームにＬＢＳゾーンを割り当てる実施例を示す図である。
【図６】無線フレームにＬＢＳゾーンを割り当てる実施例を示す図である。
【図７】無線フレームにＬＢＳゾーンを割り当てる実施例を示す図である。
【図８】無線フレームにＬＢＳゾーンを割り当てる実施例を示す図である。
【図９】既存ＳＡ−プリアンブルの転送に用いられたシンボルの全部または一部を、ＬＢＳのための位置測定用同期信号に代えて転送するＬＢＳ位置測定信号転送の第１方案に関連した実施例を示す図である。
【図１０】既存ＳＡ−プリアンブルの転送に用いられたシンボルの全部または一部を、ＬＢＳのための位置測定用同期信号に代えて転送するＬＢＳ位置測定信号転送の第１方案に関連した実施例を示す図である。
【図１１】既存ＳＡ−プリアンブルの転送に用いられたシンボルの全部または一部を、ＬＢＳのための位置測定用同期信号に代えて転送するＬＢＳ位置測定信号転送の第１方案に関連した実施例を示す図である。
【図１２】既存ＳＡ−プリアンブルの転送に用いられたシンボルの全部または一部を、ＬＢＳのための位置測定用同期信号に代えて転送するＬＢＳ位置測定信号転送の第１方案に関連した実施例を示す図である。
【図１３】既存ＳＡ−プリアンブルの転送に用いられたシンボルの全部または一部を、ＬＢＳのための位置測定用同期信号に代えて転送するＬＢＳ位置測定信号転送の第１方案に関連した実施例を示す図である。
【図１４】既存同期信号とは別個に、ＬＢＳのための位置測定信号をさらに転送するＬＢＳ位置測定信号転送の第２方案に関連した実施例を示す図である。
【図１５】既存同期信号とは別個に、ＬＢＳのための位置測定信号をさらに転送するＬＢＳ位置測定信号転送の第２方案に関連した実施例を示す図である。
【図１６】既存同期信号とは別個に、ＬＢＳのための位置測定信号をさらに転送するＬＢＳ位置測定信号転送の第２方案に関連した実施例を示す図である。
【図１７】既存同期信号とは別個に、ＬＢＳのための位置測定信号をさらに転送するＬＢＳ位置測定信号転送の第２方案に関連した実施例を示す図である。
【図１８】既存同期信号とは別個に、ＬＢＳのための位置測定信号をさらに転送するＬＢＳ位置測定信号転送の第２方案に関連した実施例を示す図である。
【図１９】既存同期信号とは別個に、ＬＢＳのための位置測定信号をさらに転送するＬＢＳ位置測定信号転送の第２方案に関連した実施例を示す図である。
【図２０】ＬＢＳ位置ビーコンを副搬送波にマッピングする例を示す図である。
【図２１】本発明の実施例によって位置測定用信号を転送する複数の基地局相互間の動作実施例１を示す図である。
【図２２】本発明の実施例によって位置測定用信号を転送する複数の基地局相互間の動作実施例１を示す図である。
【図２３】本発明の実施例によって位置測定用信号を転送する複数の基地局相互間の動作実施例２を示す図である。
【図２４】本発明の実施例によって位置測定用信号を転送する複数の基地局相互間の動作実施例２を示す図である。
【発明を実施するための形態】
【００２６】
以下、本発明の好適な実施の形態を、添付の図面を参照して詳細に説明する。添付の図面と共に以下に開示される詳細な説明は、本発明の例示的な実施の形態を説明するためのもので、本発明を実施できる唯一の実施の形態を示すものではない。以下の詳細な説明は、本発明の完全な理解を提供するために具体的な細部事項を含む。しかし、当業者には、それらの具体的な細部事項なしにも本発明を実施できることが理解する。例えば、以下の詳細な説明は、移動通信システムがＩＥＥＥ  ８０２．１６システムである例にして具体的に説明するが、ＩＥＥＥ  ８０２．１６特有の事項を除けば、他の任意の移動通信システムにも適用可能である。
【００２７】
場合によって、本発明の概念が曖昧になることを避けるために、公知の構造及び装置を省略したり、各構造及び装置の核心機能を中心にしたブロック図の形式で示すことができる。また、本明細書全体において同一の構成要素には同一の図面符号を付して説明する。
【００２８】
本発明において、端末（Ｔｅｒｍｉｎａｌ  Ｅｑｕｉｐｍｅｎｔ）は、固定のものまたは移動性を有するもので、基地局と通信してユーザーデータ及び／または各種の制御情報を送受信する各種機器のことを指す。端末は、ＵＥ（Ｕｓｅｒ  Ｅｑｕｉｐｍｅｎｔ）、ＭＳ（Ｍｏｂｉｌｅ  Ｓｔａｔｉｏｎ）、ＭＴ（Ｍｏｂｉｌｅ  Ｔｅｒｍｉｎａｌ）、ＵＴ（Ｕｓｅｒ  Ｔｅｒｍｉｎａｌ）、ＳＳ（Ｓｕｂｓｃｒｉｂｅ  Ｓｔａｔｉｏｎ）、無線機器（ｗｉｒｅｌｅｓｓ  ｄｅｖｉｃｅ）、ＰＤＡ（Ｐｅｒｓｏｎａｌ  Ｄｉｇｉｔａｌ  Ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）などと呼ぶことができる。また、本発明において、基地局（Ｂａｓｅ  Ｓｔａｔｉｏｎ、ＢＳ）は、一般に、端末及び／または他の基地局と通信する固定された地点（ｆｉｘｅｄ  ｓｔａｔｉｏｎ）のことをいい、端末及び他の基地局と通信して各種のデータ及び制御情報を交換する。基地局は、ｅＮＢ（ｅｖｏｌｖｅｄ−Ｎｏｄｅ  Ｂ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）などの他の用語と呼ぶこともできる。
【００２９】
本発明の実施例が適用される無線通信システムは、複数の基地局を含む。各基地局は、特定の地理的領域（主に、セルという。）に位置している端末に通信サービスを提供する。さらに、セルは多数の地理的領域（セクターともいう。）に分けることができる。
【００３０】
以下において、ＬＢＳスーパーフレーム／フレーム／サブフレーム／シンボルは、位置ベースサービス（Ｌｏｃａｔｉｏｎ  Ｂａｓｅｄ  Ｓｅｒｖｉｃｅ、ＬＢＳ）のための参照信号が割り当てられている或いは割り当てられうるスーパーフレーム／フレーム／サブフレーム／シンボルをそれぞれ意味する。ＬＢＳ用参照信号あるいはＬＢＳ用位置測定信号は、より正確な位置決定を可能にする位置特定測定（ｌｏｃａｔｉｏｎ  ｓｐｅｃｉｆｉｃ  ｍｅａｓｕｒｅｍｅｎｔｓ）のために基地局が転送する特別な波形（ｓｐｅｃｉａｌ  ｗａｖｅｆｏｒｍ）のことを指す。後述する本発明の実施例に係る基地局は、この特別な波形の位置を端末にシグナルすることができる。端末は、本発明の実施例によって転送される特別な波形を探知し、関連測定を行う一方で、測定結果を端末に報告することができる。
【００３１】
また、以下では、スーパーフレーム／フレーム／サブフレーム／シンボル内の特定信号の転送位置でこの特定信号を転送しない場合に、特定信号の転送がドロップ（ｄｒｏｐ）、ミュート（ｍｕｔｅ）、ヌリング（ｎｕｌｌｉｎｇ）、ブランキング（ｂｌａｎｋｉｎｇ）されたと表現する。
【００３２】
一方、本発明で特定信号のスーパーフレーム／フレーム／サブフレーム／シンボル／搬送波／副搬送波に割り当てて転送するということは、特定信号を、該当のスーパーフレーム／フレーム／サブフレーム／シンボル時間区間／タイミングで該当の搬送波／副搬送波を通じて転送することを意味する。
【００３３】
図１で説明したように、端末の位置を測定するためには、各基地局から当該端末への信号転送／到着タイミングを用いることができる。タイミング測定に用いられる信号としては、ダウンリンクではダウンリンクパイロット、Ａ−プリアンブル（Ａｄｖａｎｃｅｄ  ｐｒｅａｍｂｌｅ、Ａ−ｐｒｅａｍｂｌｅ）などがあり、アップリンクではアップリンクパイロット、レンジングチャネル（ｒａｎｇｉｎｇ  ｃｈａｎｎｅｌ）などがある。以下では、特に、既存のＡ−プリアンブルの割当／測定と既存のシステム情報及び制御情報の転送に及ぼす影響を最小化しながら、より正確な位置測定のための位置測定用プリアンブルを割り当てる方法及びこれを行う基地局、並びにＬＢＳのための位置測定用プリアンブルを受信して位置測定を行う方法及びこれを行う端末について詳述する。
【００３４】
図２は、本発明を実行する端末及び基地局の構成要素を示すブロック図である。
【００３５】
端末は、アップリンクでは送信装置として動作し、ダウンリンクでは受信装置として動作する。一方、基地局は、アップリンクでは受信装置として動作し、ダウンリンクでは送信装置として動作することができる。
【００３６】
端末及び基地局は、情報及び／またはデータ、信号、メッセージなどを受信できるアンテナ５００ａ，５００ｂと、アンテナを制御してメッセージを転送する送信器（Ｔｒａｎｓｍｉｔｔｅｒ）１００ａ，１００ｂと、アンテナを制御してメッセージを受信する受信器（Ｒｅｃｅｉｖｅｒ）３００ａ，３００ｂと、無線通信システムにおける通信に関連した各種の情報を記憶するメモリー２００ａ，２００ｂと、を含む。また、端末及び基地局は、端末または基地局に含まれている送信器及び受信器、メモリーなどの構成要素を制御して本発明を実行するように構成されたプロセッサ４００ａ，４００ｂをそれぞれ含む。端末において、送信器１００ａ、受信器３００ａ、メモリー２００ａ、プロセッサ４００ａはそれぞれ別個のチップ（ｃｈｉｐ）により独立した構成要素としてもよく、２以上を一つのチップにより統合してもよい。同様に、基地局において、送信器１００ｂ、受信器３００ｂ、メモリー２００ｂ、プロセッサ４００ｂはそれぞれ別個のチップ（ｃｈｉｐ）により独立した構成要素としてもよく、２以上を一つのチップにより統合してもよい。送信器と受信器とを統合して、ユーザー機器または基地局内で一つの送受信器（ｔｒａｎｓｃｅｉｖｅｒ）としてもよい。
【００３７】
アンテナ５００ａ，５００ｂは、送信器１００ａ，１００ｂで生成された信号を外部に転送したり、外部から無線信号を受信して受信器３００ａ，３００ｂに伝達する機能を果たす。多数のアンテナを用いてデータを送受信する多重入出力（Ｍｕｌｔｉ−Ｉｎｐｕｔ  Ｍｕｌｔｉ−Ｏｕｔｐｕｔ、ＭＩＭＯ）機能を支援する送受信器は、２以上のアンテナと連結することができる。
【００３８】
プロセッサ４００ａ，４００ｂは、通常、端末または基地局における各種モジュールの全般的な動作を制御する。特に、プロセッサ４００ａ，４００ｂは、本発明を実行するための各種の制御機能、サービス特性及び伝播環境に応じたＭＡＣ（Ｍｅｄｉｕｍ  Ａｃｃｅｓｓ  Ｃｏｎｔｒｏｌ）フレーム可変制御機能、遊休モード動作を制御するための電力節約モード機能、ハンドオーバー（Ｈａｎｄｏｖｅｒ）機能、認証及び暗号化機能などを行うことができる。プロセッサ４００ａ，４００ｂは、コントローラ（ｃｏｎｔｒｏｌｌｅｒ）、マイクロコントローラ（ｍｉｃｒｏｃｏｎｔｒｏｌｌｅｒ）、マイクロプロセッサ（ｍｉｃｒｏｐｒｏｃｅｓｓｏｒ）、マイクロコンピュータ（ｍｉｃｒｏｃｏｍｐｕｔｅｒ）などと呼ぶこともできる。一方、プロセッサ４００ａ，４００ｂは、ハードウェア（ｈａｒｄｗａｒｅ）、ファームウェア（ｆｉｒｍｗａｒｅ）、ソフトウェア、またはこれらの結合により具現することができる。ハードウェアを用いて本発明を具現する場合には、本発明を実行するように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）などをプロセッサ４００ａ，４００ｂに備えることができる。一方、ファームウェアやソフトウェアを用いて本発明を具現する場合には、本発明の機能または動作を行うモジュール、手順または関数などを含むようにファームウェアやソフトウェアを構成することができ、本発明を実行できるように構成されたファームウェアまたはソフトウェアをプロセッサ４００ａ，４００ｂ内に含めたりメモリー２００ａ，２００ｂに記憶させて、プロセッサ４００ａ，４００ｂにより駆動することができる。
【００３９】
送信器１００ａ，１００ｂは、プロセッサ４００ａ，４００ｂまたは該プロセッサと接続しているスケジューラからスケジューリングされて外部に転送される信号及び／またはデータに所定の符号化（ｃｏｄｉｎｇ）及び変調（ｍｏｄｕｌａｔｉｏｎ）を行ってアンテナ５００ａ，５００ｂに伝達する。例えば、送信器１００ａ，１００ｂは、転送しようとするデータを逆多重化、チャネル符号化、及び変調過程などを経てＫ個の信号列に変換する。Ｋ個の信号列は、送信器内の送信処理器を経て送信アンテナ５００ａ，５００ｂから転送される。端末及び基地局における送信器１００ａ，１００ｂ及び受信器３００ａ，３００ｂは、送信信号及び受信信号を処理する過程に従って別々に構成することができる。
【００４０】
図３は、端末及び基地局における送信器構造の一例を示す図である。図３を参照して送信器１００ａ，１００ｂの動作をより具体的に説明する。
【００４１】
送信器１００ａ，１００ｂは、エンコーダ１１０、プリコーダ１２０、副搬送波マッパー１３０−１，…，１３０−Ｋ、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）信号発生器、Ｎｔ個の送信アンテナ５００−１，…，５００−Ｎｔを含む。
【００４２】
エンコーダ１１０は、転送しようとするデータ列を、定められたコーディング方式によってエンコーディングして符号化されたデータ（ｃｏｄｅｄ  ｄａｔａ）とし、符号化されたデータを変調して信号コンステレーション（ｓｉｇｎａｌ  ｃｏｎｓｔｅｌｌａｔｉｏｎ）上の位置を表現するシンボルとして配置する。変調方式（ｍｏｄｕｌａｔｉｏｎ  ｓｃｈｅｍｅ）には制限がなく、ｍ−ＰＳＫ（ｍ−Ｐｈａｓｅ  Ｓｈｉｆｔ  Ｋｅｙｉｎｇ）またはｍ−ＱＡＭ（ｍ−Ｑｕａｄｒａｔｕｒｅ  Ａｍｐｌｉｔｕｄｅ  Ｍｏｄｕｌａｔｉｏｎ）などを、符号化されたデータの変調に用いることができる。符号化されたデータの変調のために、エンコーダ１１０は変調器を独立したモジュールとして備えることもできる。一方、エンコーダ１１０は、プリコーダ１２０がアンテナ特定シンボルを該当のアンテナ経路に分配できるように入力シンボルのレイヤー（ｌａｙｅｒ）を定義することができる。レイヤーは、プリコーダ１２０に入力される情報経路（ｉｎｆｏｒｍａｔｉｏｎ  ｐａｔｈ）を意味する。プリコーダ１２０以前の情報経路を仮想アンテナ（ｖｉｒｔｕａｌ  ａｎｔｅｎｎａ）またはレイヤーと見なすことができる。シンボルのレイヤーを定義するために、エンコーダ１１０は、レイヤーマッパーを独立したモジュールとして備えてもよい。
【００４３】
プリコーダ１２０は、入力シンボルを多重送信アンテナ５００−１，…，５００−ＮｔによるＭＩＭＯ方式で処理してアンテナ特定シンボルを出力し、これらのアンテナ特定シンボルを該当の副搬送波マッパー１３０−１，…，１３０−Ｋに分配する。ＭＩＭＯストリームのアンテナへのマッピングは、プリコーダ１２０により行われる。プリコーダ１２０は、エンコーダ１１０の出力ｘをＮｔ×Ｍｔのプリコーディング行列ＷとかけてＮｔ×ＭＦの行列ｚとして出力することができる。
【００４４】
副搬送波マッパー１３０−１，…，１３０−Ｋは、アンテナ特定シンボルを適切な副搬送波（ｓｕｂｃａｒｒｉｅｒ）に割り当て、ユーザーに従って多重化する。ＯＦＤＭＡ信号発生器１４０−１，…，１４０−Ｋは、アンテナ特定シンボルをＯＦＤＭ方式で変調してＯＦＤＭＡシンボルを出力する。ＯＦＤＭＡ信号発生器１４０−１，…，１４０−Ｋは、アンテナ特定シンボルにＩＦＦＴ（Ｉｎｖｅｒｓｅ  Ｆａｓｔ  Ｆｏｕｒｉｅｒ  Ｔｒａｎｓｆｏｒｍ）を行うことができ、ＩＦＦＴの行われた時間領域シンボルにはＣＰ（Ｃｙｃｌｉｃ  Ｐｒｅｆｉｘ）を挿入することができる。ＯＦＤＭＡシンボルは、各送信アンテナ５００−１，…，５００−Ｎｔから受信装置に送信される。
【００４５】
受信器３００ａ，３００ｂは、外部からアンテナ５００ａ，５００ｂを介して受信された無線信号に複号（ｄｅｃｏｄｉｎｇ）及び復調（ｄｅｍｏｄｕｌａｔｉｏｎ）を行って該当のプロセッサ４００ａ，４００ｂに伝達する。受信器３００ａ，３００ｂに連結されているアンテナ５００ａ，５００ｂは、Ｎｔ個の多重受信アンテナを含むことができ、受信アンテナを介して受信された信号のそれぞれは、基底帯域信号に復元された後、多重化及びチャネル復調化を経て、送信器１００ａ，１００ｂがそもそも転送しようとしたデータ列に復元される。受信器３００ａ，３００ｂは、受信された信号を基底帯域信号に復元するための信号復元器、受信処理された信号を結合して多重化する多重化器、信号列をデータ列に復元するチャネル復調化器を含むことができ、信号復元器、多重化器、チャネル復調化器は、それらの機能を実行する統合した一つのモジュールまたはそれぞれの独立したモジュールとすることができる。
【００４６】
参考として、図２及び図３では、エンコーダ１１０、プリコーダ１２０、副搬送波マッパー１３０−１，…，１３０−Ｋ、及びＯＦＤＭＡ信号生成器１４０−１，…，１４０−Ｋが送信器１００ａ，１００ｂに含まれるとして説明したが、送信装置のプロセッサ４００ａ，４００ｂをエンコーダ１１０、プリコーダ１２０、副搬送波マッパー１３０−１，…，１３０−Ｋ、ＯＦＤＭＡ信号生成器１４０−１，…，１４０−Ｋを含むように構成することも可能である。同様に、図２及び図３では、信号復元器、多重化器、チャネル復調化器が受信器３００ａ，３００ｂに含まれるとして説明したが、受信装置のプロセッサ４００ａ，４００ｂを信号復元器、多重化器及びチャネル復調化器を含むように構成してもよい。以下では、説明の便宜のために、エンコーダ１１０、プリコーダ１２０、副搬送波マッパー１３０−１，…，１３０−Ｋ、ＯＦＤＭＡ信号生成器１４０−１，…，１４０−Ｋが、それらの動作を制御するプロセッサ４００ａ，４００ｂと分離された送信器１００ａ，１００ｂに含まれ、信号復元器、多重化器及びチャネル復調化器が、それらの動作を制御するプロセッサ４００ａ，４００ｂとは分離された受信器３００ａ，３００ｂに含まれた例にして説明する。しかし、エンコーダ１１０、プリコーダ１２０、副搬送波マッパー１３０−１，…，１３０−Ｋ、ＯＦＤＭＡ信号生成器１４０−１，…，１４０−Ｋがプロセッサ４００ａ，４００ｂに含まれた場合、及び信号復元器、多重化器、チャネル復調化器がプロセッサ４００ａ，４００ｂに含まれた場合にも、本発明の実施例を同一に適用することができる。
【００４７】
メモリー２００ａ，２００ｂは、プロセッサ４００ａ，４００ｂにおける処理及び制御のためのプログラムを格納することができ、入出力される情報を臨時記憶することができる。メモリーは、フラッシュメモリータイプ（ｆｌａｓｈ  ｍｅｍｏｒｙ  ｔｙｐｅ）、ハードディスクタイプ（ｈａｒｄ  ｄｉｓｋ  ｔｙｐｅ）、マルチメディアカードマイクロタイプ（ｍｕｌｔｉｍｅｄｉａ  ｃａｒｄ  ｍｉｃｒｏ  ｔｙｐｅ）またはカードタイプのメモリー（例えば、ＳＤまたはＸＤメモリーなど）、ＲＡＭ（Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）、ＲＯＭ（Ｒｅａｄ−Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＰＲＯＭ（Ｐｒｏｇｒａｍｍａｂｌｅ  Ｒｅａｄ−Ｏｎｌｙ  Ｍｅｍｏｒｙ）、磁気メモリー、磁気ディスク、光ディスクなどを用いて具現することができる。
【００４８】
一方、本発明の基地局におけるプロセッサ４００ｂは、後述する本発明の実施例によってＬＢＳ用スーパーフレーム／フレーム／サブフレームを設定する一方で、ＬＢＳ用位置測定信号をスーパーフレーム／フレーム／サブフレーム内の所定周波数／時間リソースに割り当てるように送信器１００ｂを制御することができる。
【００４９】
また、本発明の端末におけるプロセッサ４００ａを、本発明の実施例によって所定周波数／時間リソースに割り当てられて転送されたＬＢＳ用位置測定信号に基づき、該ＬＢＳ用位置測定信号を転送した各基地局のセル内における端末の位置を測定するように構成することができる。また、端末のプロセッサ４００ａは、測定された結果を、ＬＢＳ用位置測定信号を転送した各基地局にフィードバックするように、端末の送信器４００ａを制御することができる。端末のプロセッサ４００ａまたは受信器３００ａは、ＬＢＳ用位置測定信号を用いて位置を測定するモジュールを別途に備えるように構成することができる。
【００５０】
図４は、無線通信システムで用いられる無線フレーム構造の一例を示す図である。特に、図４は、ＩＥＥＥ  ８０２．１６システムの無線フレーム構造を例示する。無線フレーム構造は、ＦＤＤ（Ｆｒｅｑｕｅｎｃｙ  Ｄｉｖｉｓｉｏｎ  Ｄｕｐｌｅｘ）、Ｈ−ＦＤＤ（Ｈａｌｆ  Ｆｒｅｑｕｅｎｃｙ  Ｄｉｖｉｓｉｏｎ  Ｄｕｐｌｅｘ）、ＴＤＤ（Ｔｉｍｅ  Ｄｉｖｉｓｉｏｎ  Ｄｕｐｌｅｘ）などに適用することができる。
【００５１】
図４を参照すると、無線フレーム構造は、５ＭＨｚ、８．７５ＭＨｚ、１０ＭＨｚまたは２０ＭＨｚ帯域幅を支援する２０ｍｓスーパーフレームＳＵ０〜ＳＵ３を含むことができる。スーパーフレームは、同一サイズを持つ４個の５ｍｓフレームＦ０〜Ｆ３を含むことができ、スーパーフレームヘッダ（ＳｕｐｕｅｒＦｒａｍｅ  Ｈｅａｄｅｒ、ＳＦＨ）から始まる。スーパーフレームヘッダは、必須システムパラメータ（ｅｓｓｅｎｔｉａｌ  ｓｙｓｔｅｍ  ｐａｒａｍｅｔｅｒ）及びシステム設定情報（ｓｙｓｔｅｍ  ｃｏｎｆｉｇｕｒａｔｉｏｎ  ｉｎｆｏｒｍａｔｉｏｎ）を搬送する。スーパーフレームヘッダは、スーパーフレーム内の最初のサブフレームに位置することができる。スーパーフレームヘッダは、Ｐ−ＳＦＨ（ｐｒｉｍａｒｙ−ＳＦＨ）及びＳ−ＳＦＨ（ｓｅｃｏｎｄａｒｙ−ＳＦＨ）に分類することができる。Ｐ−ＳＦＨは、毎スーパーフレームごとに転送される。Ｓ−ＳＦＨも、毎スーパーフレームごとに転送されてもよい。スーパーフレームヘッダはブロードキャストチャネルを含むことができる。
【００５２】
１フレームは８サブフレームＳＦ０〜ＳＦ７を含むことができる。サブフレームはダウンリンクまたはアップリンク転送に割り当てられる。フレームは、デュプレックス（ｄｕｐｌｅｘ）モードに従って別々に構成することができる。例えば、ＦＤＤモードにおいて、ダウンリンク転送及びアップリンク転送は周波数によって区分されるので、フレームは、ダウンリンクサブフレームまたはアップリンクサブフレームのいずれか一方のみを含む。ＦＤＤモードでは、毎フレームの末端に休止時間（ｉｄｌｅ  ｔｉｍｅ）が存在することができる。一方、ＴＤＤモードでは、ダウンリンク転送及びアップリンク転送が時間によって区分されるので、フレーム内のサブフレームは、ダウンリンクサブフレームとアップリンクサブフレームとに区別される。ダウンリンクからアップリンクに変更される間にはＴＴＧ（Ｔｒａｎｓｍｉｔ／ｒｅｃｅｉｖｅ  Ｔｒａｎｓｉｔｉｏｎ  Ｇａｐ）と呼ばれる休止時間が存在し、アップリンクからダウンリンクに変更される間には、ＲＴＧ（Ｒｅｃｅｉｖｅ／ｔｒａｎｓｍｉｔ  Ｔｒａｎｓｉｔｉｏｎ  Ｇａｐ）と呼ばれる休止時間が存在する。
【００５３】
サブフレームは、転送時間間隔（Ｔｒａｎｓｍｉｓｓｉｏｎ  Ｔｉｍｅ  Ｉｎｔｅｒｖａｌ、ＴＴＩ）の単位である。すなわち、１  ＴＴＩは、一つ以上のサブフレームで定義される。一般に、基本ＴＴＩは、１サブフレームと設定される。ＴＴＩは、物理層で符号化されたパケットを、無線インターフェースを介して転送する時間間隔のことを意味する。そのため、１サブフレームまたは複数の隣接したサブフレームを、データパケットを転送する時に用いることができる。
【００５４】
サブフレームは、時間ドメインで複数のＯＦＤＭＡシンボルを含み、周波数ドメインで複数の副搬送波（ｓｕｂｃａｒｒｉｅｒ）を含む。ＯＦＤＭＡシンボルは、多重接続方式によってＯＦＤＭＡシンボル、ＳＣ−ＦＤＭＡシンボルなどと呼ぶことができる。サブフレームに含まれるＯＦＤＭＡシンボルの数は、チャネル帯域幅、ＣＰ長によって様々に変更可能である。サブフレームに含まれるＯＦＤＭＡシンボルの数によってサブフレームのタイプ（ｔｙｐｅ）を定義することができる。例えば、タイプ−１サブフレームは６  ＯＦＤＭＡシンボル、タイプ−２サブフレームは７  ＯＦＤＭＡシンボル、タイプ−３サブフレームは５  ＯＦＤＭＡシンボル、タイプ−４サブフレームは９  ＯＦＤＭＡシンボルを含むと定義することができる。一つのフレームは、いずれも同一のタイプのサブフレームを含んでもよく、互いに異なるタイプのサブフレームを含んでもよい。本発明の実施例の説明においては、説明の便宜のために、１サブフレームが６  ＯＦＤＭＡシンボルで構成されるタイプ−１サブフレームを例にして説明するが、後述する本発明の実施例は、他のタイプのサブフレームにも同一の方式で適用することができる。
【００５５】
周波数ドメインにおいて、ＯＦＤＭＡシンボルは複数の副搬送波を含み、ＦＦＴ（Ｆａｓｔ  Ｆｏｕｒｉｅｒ  Ｔｒａｎｓｆｏｒｍ）サイズによって副搬送波の個数が決定される。副搬送波の類型は、データ転送のためのデータ副搬送波、チャネル測定のためのパイロット副搬送波、ガードバンド（ｇｕａｒｄ  ｂａｎｄ）及びＤＣ成分のためのヌル副搬送波に分類することができる。ＯＦＤＭＡシンボルを特徴づけるパラメータは、ＢＷ、Ｎｕｓｅｄ、ｎ、Ｇなどである。ＢＷは、名目上のチャネル帯域幅（ｎｏｍｉｎａｌ  ｃｈａｎｎｅｌ  ｂａｎｄｗｉｄｔｈ）である。Ｎｕｓｅｄは、信号転送に用いられる副搬送波の個数である。ｎはサンプリング因子であり、ＢＷ及びＮｕｓｅｄと共に副搬送波スペーシング（ｓｐａｃｉｎｇ）及び有効シンボル時間（ｕｓｅｆｕｌ  ｓｙｍｂｏｌ  ｔｉｍｅ）を決定する。Ｇは、ＣＰ時間と有効時間（ｕｓｅｆｕｌ  ｔｉｍｅ）との比率である。
【００５６】
周波数ドメインにおいて、リソースを所定個数の副搬送波単位にまとめることができる。１サブフレーム内における所定個数の副搬送波からなるグループを、物理リソースユニット（Ｐｈｙｓｉｃａｌ  Ｒｅｓｏｕｒｃｅ  Ｕｎｉｔ、ＰＲＵ）と呼ぶ。サブフレームは、周波数ドメインで複数のＰＲＵを含む。ＰＲＵは、リソース割当のための基本単位で、時間ドメインで複数の連続したＯＦＤＭＡシンボル、周波数ドメインで複数の連続した副搬送波で構成される。一例として、ＰＲＵにおけるＯＦＤＭＡシンボルの数は、サブフレームに含まれるＯＦＤＭＡシンボルの数と同一でよい。そのため、ＰＲＵにおけるＯＦＤＭＡシンボルの数を、サブフレームのタイプによって決定することができる。一方、ＰＲＵにおける副搬送波の数は１８個でよい。この場合、タイプ−１サブフレームのＰＲＵは、６個のＯＦＤＭＡシンボル×１８個の副搬送波で構成することができる。ＰＲＵは、リソース割当方式によって分散リソースユニット（Ｄｉｓｔｒｉｂｕｔｅｄ  Ｒｅｓｏｕｒｃｅ  Ｕｎｉｔ、ＤＲＵ）または連続リソースユニット（Ｃｏｎｔｉｇｕｏｕｓ  Ｒｅｓｏｕｒｃｅ  Ｕｎｉｔ、ＣＲＵ）と呼ぶことができる。ダウンリンクＤＲＵの基本パーミュテーション単位は、２個の副搬送波と１個のシンボルで構成されたトーンペア（ｔｏｎｅ−ｐａｉｒ）であり、タイプ−１サブフレームにおいて、１個のＰＲＵは１０８個のトーンを含む。トーンをリソース要素（ｒｅｓｏｕｒｃｅ  ｅｌｅｍｅｎｔ）と呼ぶこともできる。
【００５７】
サブフレームを少なくとも一つの周波数パーティション（Ｆｒｅｑｕｅｎｃｙ  Ｐａｒｔｉｔｉｏｎ、ＦＰ）に分けることができる。周波数パーティションは、ＦＦＲ（Ｆｒａｃｔｉｏｎａｌ  Ｆｒｅｑｕｅｎｃｙ  Ｒｅｕｓｅ）のような目的のために用いることができる。各周波数パーティションは、一つ以上のＰＲＵを含む。各周波数パーティションには分散的リソース割当（ｄｉｓｔｒｉｂｕｔｅｄ  ｒｅｓｏｕｒｃｅ  ａｌｌｏｃａｔｉｏｎ）及び／または連続的リソース割当（ｃｏｎｔｉｇｕｏｕｓ  ｒｅｓｏｕｒｃｅ  ａｌｌｏｃａｔｉｏｎ）を適用することができる。論理リソースユニット（Ｌｏｇｉｃａｌ  Ｒｅｓｏｕｒｃｅ  Ｕｎｉｔ、ＬＲＵ）は、分散的リソース割当及び連続的リソース割当のための基本論理単位である。
【００５８】
上記の構造は例示に過ぎない。したがって、スーパーフレームの長さ、スーパーフレームに含まれるフレームの数、フレームに含まれるサブフレームの数、サブフレームに含まれるＯＦＤＭＡシンボルの数、ＯＦＤＭＡシンボルのパラメータなどは様々に変更可能である。一例として、フレームに含まれるサブフレームの数を、チャネル帯域幅（ｃｈａｎｎｅｌ  ｂａｎｄｗｉｄｔｈ）、ＣＰ（ｃｙｃｌｉｃ  ｐｒｅｐｉｘ）の長さに応じて様々に変更することができる。
【００５９】
一方、１スーパーフレームには４個の同期信号（ｓｙｎｃｈｒｏｎｉｚａｔｉｏｎ  ｓｉｇｎａｌ）が転送される。ＩＥＥＥ  ８０２．１６ｍを例に挙げると、システムにおいて、ダウンリンク同期信号は、ＰＡ−プリアンブル（Ｐｒｉｍａｒｙ  Ａｄｖａｎｃｅｄ  ｐｒｅａｍｂｌｅ）で構成された主同期信号、及びＳＡ−プリアンブル（Ｓｅｃｏｎｄａｒｙ  Ａｄｖａｎｃｅｄ  ｐｒｅａｍｂｌｅ）で構成された副同期信号を含む。ＦＤＤモード及びＴＤＤモードで、ＰＡ−プリアンブル及びＳＡ−プリアンブルのそれぞれは、各フレームの最初のシンボルに位置する。具体的に、ＰＡ−プリアンブルはスーパーフレームにおける２番目のフレーム（Ｆ１）の最初のシンボルに、ＳＡ−プリアンブルはスープフレームの残り３フレームＦ０、Ｆ２及びＦ３の各最初のシンボルに位置する。ＰＡ−プリアンブルはシステム帯域幅及び搬送波構成情報を搬送し、よって、端末はＰＡ−プリアンブルを通じてシステム帯域幅及び搬送波構成情報を獲得することができる。以下の説明では、ＰＡ−プリアンブルが割当／転送されるシンボルをＰＡ−プリアンブルシンボルと呼ぶ。
【００６０】
ＳＡ−プリアンブルは、基地局のセルＩＤ（ｃｅｌｌ  ＩＤ）を運ぶ。ＳＡ−プリアンブルは、１スーパーフレームの間に、１番目、３番目及び４番目のフレームにおける最初のシンボルでそれぞれ一回ずつして合計３回転送されて累積され、端末は、１スーパーフレームにおける３回転送されたＳＡ−プリアンブルを累積して、該当の基地局のセルＩＤを探知したりハンドオーバー時のセルスキャニングを行う。以下では、既存ＳＡ−プリアンブルが割当／転送される１番目、３番目及び４番目フレームにおける最初のシンボルを、（既存）ＳＡ−プリアンブルシンボルと呼ぶ。
【００６１】
端末がＲＤ（Ｒｅｌａｔｉｖｅ  Ｄｅｌａｙ）、ＲＴＤ（Ｒｏｕｎｄ  Ｔｒｉｐ  Ｄｅｌａｙ）、ＲＳＳＩ（Ｒｅｃｅｉｖｅｄ  Ｓｉｇｎａｌ  Ｓｔｒｅｎｇｔｈ  Ｉｎｄｉｃａｔｉｏｎ）などを測定するのにＳＡ−プリアンブルを用いることができる。ＲＤ、ＲＴＤ、ＲＳＳＩは、ＳＡ−プリアンブルを転送した基地局の位置を測定するのにも用いることができるパラメータである。しかし、位置測定のために既存ＳＡ−プリアンブルをそのまま活用して位置測定（ｌｏｃａｔｉｏｎ  ｍｅａｓｕｒｅｍｅｎｔ）を行う場合には、既存システムがＳＡ−プリアンブルの転送に再使用パターンを３までしか支援しないため、信号を転送すべき多くの隣接セルが存在する場合には、これら隣接セルが送る信号を区別し難いという不具合がある。しかも、サービングセルがプリアンブルを転送する際に、隣接セルが該当のプリアンブルをオフし難いという不具合もある。このことから、既存ＳＡ−プリアンブルを用いては、端末がより高い正確度でＲＤ、ＲＴＤ、ＲＳＳＩなどのような位置関連信号を測定することが困難である。そこで、本発明は、端末が基地局を可能な限り多く探知し、これら基地局が転送した位置測定信号の正確な転送時間／到着時間を獲得することによって当該端末の正確な位置決定を可能にする同期信号をＬＢＳのための位置測定用として転送する方案を提示する。以下の本発明の実施例の説明では、ＬＢＳのための位置測定用として転送される同期信号を、ＬＢＳ−プリアンブルあるいはＬＢＳ位置ビーコン（ｌｏｃａｔｉｏｎ  ｂｅａｃｏｎ）と称する。
【００６２】
一方、本発明では、ＬＢＳ位置ビーコンの割当がシステムに及ぼす影響を最小化するために、全体スーパーフレームではなく所定のスーパーフレームでのみＬＢＳ位置ビーコンを転送する。以下では、一つの基地局が端末の位置測定信号を転送する区間をＬＢＳゾーンとして説明する。すなわち、ＬＢＳゾーンは、端末に受信されるＬＢＳ位置ビーコンを転送するために定義される。後述する本発明の実施例によって構成されるＬＢＳゾーンは、より高い正確度で位置関連パラメータ（ＲＤ、ＲＴＤ、ＲＳＳＩなど）の測定を可能にする。本発明は、ＬＢＳゾーンが一つのスーパーフレームをスパンする実施例も、多数の連続したスーパーフレームをスパンする実施例も含む。また、ＬＢＳゾーンを構成するスーパーフレームの個数が固定されている実施例も、固定されてない実施例も含む。
【００６３】
ＬＢＳゾーンを構成するスーパーフレームの個数が固定されていない場合に、基地局は、ＭＡＣ制御メッセージ、ＳＦＨまたはＰＡ−プリアンブルを通じて、ＬＢＳゾーンを構成するスーパーフレームの個数を端末にシグナリングすることができる。ＬＢＳゾーンに属するスーパーフレームの個数が固定されている場合にも、ＬＢＳゾーンに属するスーパーフレームの個数に関する情報を、ＭＡＣ制御メッセージ、ＳＦＨまたはＰＡ−プリアンブルなどを通じて端末にシグナリングすることができる。基地局プロセッサ４００ｂは、ＬＢＳゾーンを構成するスーパーフレームの個数に関する情報を含むＭＡＣ制御メッセージ、ＳＦＨ、またはＰＡ−プリアンブルを生成することができる。
【００６４】
図５乃至図８は、無線フレームにＬＢＳゾーンを割り当てる実施例を示す図である。
【００６５】
図５は、一つのスーパーフレームが一つのＬＢＳゾーンを構成する一例であり、基地局は、ＬＢＳゾーンの属しているスーパーフレーム０（ＳＵ０）に、ＬＢＳ用位置測定信号を割り当てて転送することができる。端末は、基地局別に一つのスーパーフレームで転送されたＬＢＳ用位置測定信号に基づいて位置測定を行ってもよく、基地局別に充分の時間にわたって収集した多数のスーパーフレームにおけるＬＢＳ用位置測定信号を累積して位置測定を行ってもよい。
【００６６】
図６は、複数の連続するスーパーフレームで一つのＬＢＳゾーンを構成する一例であり、基地局は、ＬＢＳゾーンの属している複数の連続するスーパーフレーム０乃至スーパーフレーム２（ＳＵ０〜ＳＵ２）にＬＢＳ用位置測定信号を割り当てて転送することができる。端末は、基地局別に一つのＬＢＳゾーンの属しているスーパーフレームを通じて転送されたＬＢＳ用位置測定信号に基づいて位置測定を行ってもよく、基地局別に充分の時間にわたって多数のＬＢＳゾーンでＬＢＳ用位置測定信号を累積して位置測定を行ってもよい。図６では、一つのＬＢＳゾーンが３個のスーパーフレームにわたっている場合を示しているが、これは一例に過ぎず、ＬＢＳゾーンが２個、４個、５個などのスーパーフレームにわたっていてもよいことは自明である。
【００６７】
図５及び図６の実施例は、基地局が一定時間区間において１個のＬＢＳゾーンを転送する。すなわち、１個のＬＢＳゾーンが転送されると、一定時間区間において一般のスーパーフレームが転送される。端末は、所定時間の間に転送されるＬＢＳゾーンを多数収集し、多数のＬＢＳゾーンで転送された位置測定信号を累積して位置測定を行うことができる。
【００６８】
これに対し、図７及び図８の実施例は、同一の位置測定信号が割り当てられたＬＢＳゾーンを連続して転送する。図７は、一つのスーパーフレームで構成されたＬＢＳゾーンを連続して転送する実施例であり、図８は、複数の連続するスーパーフレームで構成されたＬＢＳゾーンを連続して転送する実施例を示す図である。図７及び図８の実施例によれば、端末は、連続して転送されたＬＢＳゾーン内の位置転送信号を累積して位置測定を行うことができる。
【００６９】
この場合、端末は、ＬＢＳのための位置測定を行うためには、各基地局から受信する複数のスーパーフレームのうち、いずれのスーパーフレームがＬＢＳゾーンに属するかを知る必要がある。そのため、基地局は、転送するスーパーフレームのうち、ＬＢＳゾーンに属するスーパーフレームを特定する情報を端末に転送することができる。例えば、基地局は、ＬＢＳゾーンが活性化されたことを示す情報を、ＭＡＣ制御メッセージを通じて端末にシグナリングしたり、ＳＦＨまたはＰＡ−プリアンブルを通じて、該ＳＦＨまたはＰＡ−プリアンブルの属しているスーパーフレームにＬＢＳゾーンが属することを端末にシグナリングすることができる。そのため、基地局プロセッサ４００ｂは、ＬＢＳゾーンの活性化化されたか否かを示すＭＡＣ制御メッセージ、ＳＦＨまたはＰＡ−プリアンブルを生成することができ、該生成された信号を端末に転送するように基地局送信器１００ｂを制御することができる。端末受信器３００ａは、このＭＡＣ制御メッセージ、ＳＦＨまたはＰＡ−プリアンブルを受信して端末プロセッサ４００ａに伝達し、端末プロセッサは、当該ＭＡＣ制御メッセージ、ＳＦＨまたはＰＡ−プリアンブルからＬＢＳゾーンの位置及び／またはＬＢＳゾーンの活性化されたか否かがわかる。
【００７０】
一方、ＭＡＣ制御メッセージ、ＳＦＨまたはＰＡ−プリアンブルを通じて転送される、ＬＢＳゾーンの活性化されてか否かを示す情報を、該当のスーパーフレーム内にＬＢＳ位置ビーコン用シンボルが存在するか否かを示す情報として表示することもできる。例えば、０ｂは、該当のスーパーフレーム内にＬＢＳ位置ビーコン用シンボルが存在しないことを示し、１ｂは、該当のスーパーフレーム内にＬＢＳ位置ビーコン用シンボルが存在することを示すことができる。基地局は、ＬＢＳゾーンの転送時にＬＢＳ位置ビーコン用シンボル情報を１ｂに設定してＭＡＣ制御メッセージ、ＳＦＨまたはＰＡ−プリアンブルを転送することによって、ＬＢＳゾーンが転送されていることを端末にシグナリングすることができる。
【００７１】
ただし、ＬＢＳ位置ビーコンが周期的に転送される場合は、基地局が、ＬＢＳゾーンの活性化されたことを示す情報を別に転送しなくてもよい。ＬＢＳゾーンを様々な転送周期のいずれかで転送できる場合には、転送周期を示す情報を、ＭＡＣ制御メッセージ、ＳＦＨまたはＰＡ−プリアンブルを通じて端末に転送してもよい。そのために、基地局プロセッサ４００ｂは、ＬＢＳ転送周期を示す情報を含むようにＭＡＣ制御メッセージ、ＳＦＨまたはＰＡ−プリアンブルを生成し、基地局送信器１００ｂを制御して、該生成されたＭＡＣ制御メッセージ、ＳＦＨまたはＰＡ−プリアンブルを端末に転送することができる。基地局送信器１００ｂは、基地局プロセッサ４００ｂの制御下に、ＭＡＣ制御メッセージ、ＳＦＨまたはＰＡ−プリアンブルをスーパーフレームの該当のリソース要素領域で端末に転送する。例えば、基地局送信器１００ｂは、基地局プロセッサ４００ｂの制御下に、ＳＦＨをスーパーフレームにおける最初のサブフレームに割り当てて転送することができる。ＰＡ−プリアンブルは、スーパーフレームにおける２番目のフレームの最初のシンボルを通じて転送することができる。端末受信器３００ａは、ＬＢＳゾーンの転送周期を示す情報を含むＭＡＣ制御メッセージ、ＳＦＨまたはＰＡ−プリアンブルを受信して端末プロセッサ４００ａに伝達し、該ＭＡＣ制御メッセージ、ＳＦＨまたはＰＡ−プリアンブル内におけるＬＢＳゾーンの転送周期に基づき、ＬＢＳ位置ビーコンの割り当てられたＬＢＳゾーンを確認することができる。すなわち、ＬＢＳゾーンの転送周期を示す情報が端末にシグナリングされると、端末は、当該周期ごとにＬＢＳゾーンが活性化されることがわかる。ＬＢＳゾーンの転送周期が固定されていると、ＬＢＳゾーンの転送周期を示す情報が端末にシグナリングされなくてもよい。
【００７２】
一方、上述したＬＢＳゾーンの活性化されたか否かを示す情報、及びＬＢＳゾーンの転送周期を示す情報が両方ともＭＡＣ制御メッセージ、ＳＦＨまたはＰＡ−プリアンブルを通じて端末にシグナリングされてもよい。ＬＢＳゾーンの活性化されたか否かを示す情報を、ＬＢＳゾーンの活性化されたか否かを示す情報、及びＬＢＳゾーンの転送周期を特定する情報に細分化して端末にシグナリングすることも可能である。
【００７３】
ＬＢＳゾーンが連続して複数転送される場合に、連続して転送されるＬＢＳゾーンの個数も同様、ＭＡＣ制御メッセージ、ＳＦＨまたはＰＡ−プリアンブルなどを通じて端末にシグナリングすることができる。ただし、連続して転送されるＬＢＳゾーンの個数があらかじめ定められている場合には、端末がＬＢＳゾーンの活性化されたこと、及びＬＢＳゾーンの転送周期のみ知っていれば、どのサブフレームまでＬＢＳ位置ビーコンを収集しなければならないかがわかり、よってＬＢＳゾーンの個数をシグナリングしなくてもよい。
【００７４】
参考として、既存に用いられていたＳＡ−プリアンブル信号を、ＬＢＳのための位置測定用同期信号、すなわち、ＬＢＳ位置ビーコンとして端末に転送することができる。各基地局は、上述した実施例のいずれかによるＬＢＳゾーンに該当のＳＡ−プリアンブル信号を割り当てて該当のカバレッジにおける端末に転送することができる。
【００７５】
一方、本発明が提示するＬＢＳ用位置測定信号、例えば、ＬＢＳ−プリアンブルをＬＢＳゾーンに割り当てて転送する方案は、２通りに大別することができる。その一つは、既存に一つのスーパーフレーム内で累積して転送されていた３個のＳＡ−プリアンブルシンボルの全部または一部を、ＬＢＳのための位置測定用同期信号に代える方案である。あるいは、既存のに一つのスーパーフレーム区間において２番目のフレームを除いた毎フレームの最初のシンボルに該当する全ての位置のシンボルを、ＬＢＳのための位置測定用同期信号に代えたり、一部の位置のシンボルをＬＢＳのための位置測定用同期信号に代える。もう一つは、既存の同期信号はそのまま転送しながら、ＬＢＳ用位置測定信号をさらに転送する方案である。
【００７６】
以下、図９乃至図１３を参照して、既存のＳＡ−プリアンブルの転送に用いられていたシンボルの全部または一部をＬＢＳのための位置測定用同期信号に代えて転送するＬＢＳ位置測定信号転送の第１方案に関連する実施例を説明し、図１４乃至図１９を参照して、既存の同期信号とは別に、ＬＢＳのための位置測定信号をさらに転送するＬＢＳ位置測定信号転送の第２方案に関連する実施例を説明する。
【００７７】
［ＬＢＳ位置測定信号転送の第１方案］
ＳＡ−プリアンブルがスーパーフレームごとに３回ずつ転送されるので、システム待ち時間（ｌａｔｅｎｃｙ）対比オーバーヘッドが大きいといえる。そのため、システム同期化のために一つのスーパーフムにおける全てのＳＡ−プリアンブルが用いられなくてもよい。そこで、本発明に係るＬＢＳ位置測定信号転送の第１方案は、ＬＢＳゾーンの属しているスーパーフレームにおける既存ＳＡ−プリアンブルシンボルの少なくとも一つをＬＢＳ位置ビーコンに代える。ＬＢＳ位置ビーコンに代えるＬＢＳゾーン以外の区間では、ＬＢＳ位置ビーコンが転送されるＬＢＳシンボル位置に既存ＳＡ−プリアンブルを転送する代わりに、該ＬＢＳシンボルをミュートしてもよく、既存ＳＡ−プリアンブル信号以外の他の信号（例えば、一般的なデータ／制御信号）を転送してもよい。既存ＳＡ−プリアンブルシンボルをＬＢＳ位置ビーコンに代えるのではなく、既存に制御チャネル／データが転送されていた他のシンボルにＬＢＳ位置ビーコンを割り当てる場合に、該他のシンボルに割り当てられていた制御チャネルやデータのリソース割当方法と、同期信号であるＬＢＳ位置ビーコンのリソース割当方法とが異なり、システム具現の複雑性が増加することがある。例えば、制御チャネル／データとＬＢＳ位置ビーコンを同じ周波数バンドで割り当てる場合に、制御チャネル／データのリソース割当方法とＬＢＳ位置ビーコンのリソース割当方法とが異なり、既存のパーミュテーション方法をそのまま適用することができない。これに対し、本発明に係るＬＢＳ位置測定信号転送の第１方案によれば、ＬＢＳ位置ビーコンに副搬送波をマッピングする際に、既存ＳＡ−プリアンブルの副搬送波マッピング過程で用いた既存パーミュテーション方法をそのまま用いることができるというメリットがある。そのため、ＬＢＳ位置ビーコンのために新しいパーミュテーション方法を導入しなくて済み、システム具現の複雑性を増加させることなくＬＢＳ位置ビーコンを転送することができる。また、特定時間、すなわち、特定シンボルで他の信号無しでＬＢＳ位置ビーコンのみを転送できるので、互いに異なる特性の信号を転送する時に発生する電力調整（ｐｏｗｅｒ  ａｄｊｕｓｔｉｎｇ）の問題が生じないという利点がある。
【００７８】
図９乃至図１１は、スーパーフレーム内のＳＡ−プリアンブルが転送されていたシンボルのうち、ＬＢＳ位置ビーコンに代替可能なＳＡ−プリアンブルシンボルが固定されていない場合の実施例を示す図であり、図１２及び図１３は、ＬＢＳスーパーフレーム内のＳＡ−プリアンブルが割り当てられていたシンボルのうち、ＬＢＳ位置ビーコンに代替可能なＳＡ−プリアンブルシンボルが固定されている場合の実施例を示す図である。
【００７９】
図９は、ＬＢＳゾーンが一つのスーパーフレームにわたっており、ＳＡ−プリアンブルが転送されていた既存３個のシンボルを、ＬＢＳ位置ビーコンの割当に用いる実施例を示す図である。すなわち、既存３個のＳＡ−プリアンブルシンボルともＬＢＳ位置ビーコンの転送のために用いられる可能性がある。
【００８０】
図９を参照すると、基地局は、既存ＳＡ−プリアンブルが割り当てられていた１番目のフレームＦ０の最初のシンボル、２番目フレームＦ１の最初のシンボル、４番目フレーム（Ｆ３）の最初のシンボルの少なくとも一つに、ＬＢＳ位置ビーコンを割り当てて端末に転送することができる。
【００８１】
図９の実施例によれば、一つのＬＢＳゾーンでＬＢＳ位置ビーコンを割り当て可能な位置は総３個存在する。以下の説明では、一つのＬＢＳゾーンでＬＢＳ位置ビーコンを割り当て可能な位置（ｐｏｓｉｔｉｏｎ）、すなわち、ＬＢＳ位置ビーコンが割り当てられる可能性を持つ位置の個数を、再使用パターンの数と呼ぶ。一つの再使用パターンは、シンボル及び搬送波セット（ｓｙｍｂｏｌ  ａｎｄ  ｃａｒｒｉｅｒ  ｓｅｔ）で構成された直交リソース（ｏｒｔｈｏｇｏｎａｌ  ｒｅｓｏｕｒｃｅ）により特定される。一つの搬送波セットは、一つの周波数セグメント（ｓｅｇｍｅｎｔ）に対応する。そのため、本発明では搬送波セットという用語とセグメントという用語を混用する。図９の実施例てば、一つのＬＢＳゾーンでＬＢＳ位置ビーコンを割り当て可能な位置が３個存在するため、一つのＬＢＳゾーンが３個の再使用パターンを支援する。
【００８２】
図１０は、ＬＢＳゾーンが一つのスーパーフレームにわたっており、該ＬＢＳゾーン内の既存３個のＳＡ−プリアンブルシンボルをＬＢＳ位置ビーコンの割当に用いるもので、各ＳＡ−プリアンブルシンボルを周波数ドメインで３個のセグメントに区分することによってＬＢＳ位置ビーコン用の再使用パターンの個数を増加させた実施例を示す図である。
【００８３】
図１０を参照すると、基地局は、既存ＳＡ−プリアンブルが割り当てられていた３個のシンボルと、各シンボル別３個のセグメントで構成された総９個の再使用パターンの少なくとも一つに、ＬＢＳ位置ビーコンを割り当てて端末に転送することができる。
【００８４】
図１１は、ＬＢＳゾーンが複数の連続するスーパーフレームにわたっており、ＬＢＳゾーンにおける各スーパーフレーム内の３個のＳＡ−プリアンブルシンボルを、ＬＢＳ位置ビーコンの割当に用いるもので、各ＳＡ−プリアンブルシンボルを周波数ドメインで３個のセグメントに区分することによって、ＬＢＳ位置ビーコン用の再使用パターンの個数を増加させた実施例を示す図である。
【００８５】
図１１を参照すると、基地局は、ＬＢＳゾーンを構成する３個のスーパーフレームにおいてそれぞれ、３個のＳＡ−プリアンブルシンボル、及び各ＳＡ−プリアンブルシンボル別３個のセグメントで構成された総２７個の再使用パターンの少なくとも一つにＬＢＳ位置ビーコンを割り当てて端末に転送することができる。
【００８６】
基地局は、ＭＡＣ制御メッセージ、ＳＦＨまたはＰＡ−プリアンブルを通じてスーパーフレーム内の何番目のＳＡ−プリアンブルシンボルまたは何番目のフレームのＳＡ−プリアンブルシンボルがＬＢＳ位置ビーコンの転送に用いられるかを示す情報を端末にシグナリングすることができる。例えば、図９及び図１０を参照すると、００ｂは、ＬＢＳスーパーフレームにおける１番目のＳＡ−プリアンブルあるいは１番目のフレームを示し、０１ｂは、ＬＢＳスーパーフレームにおける２番目のＳＡ−プリアンブルあるいは３番目のフレームを示し、１０ｂは、ＬＢＳスーパーフレームにおける３番目のＳＡ−プリアンブルあるいは４番目のフレームを示すと定義することによって、ＬＢＳシンボルを指定することができる。
【００８７】
図９乃至１１の実施例は、後述する図１２及び図１３の実施例に比べて少ない数のスーパーフレームを用いてより多数のＬＢＳ位置ビーコン用の再使用パターンを支援できるという利点がある。
【００８８】
図１２は、ＬＢＳゾーンが複数の連続するスーパーフレームにわたっており、ＬＢＳゾーンにおける各スーパーフレーム内の３個のＳＡ−プリアンブルシンボルの１または２個の定められたＳＡ−プリアンブルシンボルを、ＬＢＳ位置ビーコンに代える実施例を示している。
【００８９】
図９乃至図１１の実施例では、３個の既存ＳＡ−プリアンブルが割り当てられていたシンボルの全部をＬＢＳ位置ビーコン割当に用いることができるが、図１２の実施例では、３個の既存ＳＡ−プリアンブルが割り当てられていたシンボルのうち、ＬＢＳ位置ビーコンに代替できないシンボルが存在する。例えば、図１２を参照すると、一つのスーパーフレームにおけるＳＡ−プリアンブルシンボルのうち、最後のＳＡ−プリアンブルシンボルを、ＬＢＳ位置ビーコンの割当に用いられるものとあらかじめ定めることができる。この場合、基地局は、ＬＢＳゾーンの属しているスーパーフレームでＳＡ−プリアンブル、ＰＡ−プリアンブル、ＳＡ−プリアンブル、ＬＢＳ位置ビーコンの順に同期信号を転送するようになる。
【００９０】
図１２のＬＢＳゾーンは、３個のスーパーフレームにおいてそれぞれ一つのＳＡ−プリアンブルがＬＢＳ位置ビーコンの割当に用いられるので、総３個の再使用パターンを支援することができる。基地局は、これら３個の再使用パターンの少なくとも一つにＬＢＳ位置ビーコンを割り当てて端末に転送することができる。
【００９１】
図１３は、ＬＢＳゾーンが複数の連続するスーパーフレームにわたっており、ＬＢＳゾーンにおける各スーパーフレーム内の３個のＳＡ−プリアンブルシンボルの１または２個の定められたＳＡ−プリアンブルシンボルの一部セグメントをＬＢＳ位置ビーコンに代える実施例を示している。図１２と同様に、一つのスーパーフレームにおいてＬＢＳ位置ビーコンに代替可能なＳＡ−プリアンブルシンボルはあらかじめ定められている。例えば、図１３を参照すると、一つのスーパーフレームにおける最後のＳＡ−プリアンブルシンボルを、ＬＢＳ位置ビーコンに代替されるものとあらかじめ定めることができる。この場合、基地局は、ＬＢＳゾーンの属しているスーパーフレームでＳＡ−プリアンブル、ＰＡ−プリアンブル、ＳＡ−プリアンブル、ＬＢＳ位置ビーコンの順に同期信号を転送するようになる。
【００９２】
図１３のＬＢＳゾーンは、３個のスーパーフレームにおいてそれぞれ一つのＳＡ−プリアンブルをＬＢＳ位置ビーコンの割当に用いることができ、該ＳＡ−プリアンブルはさらに３個の搬送波セットに区分される。この各搬送波セットをＬＢＳ位置ビーコンの割当に用いることができる。そのため、図１３のＬＢＳゾーンは、総９個の再使用パターンを支援することができる。基地局はこれら９個の再使用パターンの少なくとも一つにＬＢＳ位置ビーコンを割り当てて端末に転送することができる。
【００９３】
図１２及び図１３の実施例によれば、ＬＢＳ位置ビーコンを割り当て可能なＳＡ−プリアンブル及びシンボルの位置があらかじめ定められているため、端末に、ＬＢＳ位置ビーコンに代替されるＳＡ−プリアンブル及びシンボルの位置を特定する情報が別途に提供されなくてもよいという利点がある。また、本発明の実施例に係る基地局は、実際に転送される再使用パターン以外の残り再使用パターンをミュートしたまま該当のＬＢＳゾーンを転送するが、ＬＢＳゾーンにおける全てのＳＡ−プリアンブルシンボルがＬＢＳ位置ビーコンに代替される可能性がある場合に、該ＬＢＳゾーン区間内でＳＡ−プリアンブルが転送されないことがある。そのため、ＬＢＳゾーンにおける既に指定された一部のＳＡ−プリアンブルシンボルのみをＬＢＳ位置ビーコンに代える場合に、これら一部のＳＡ−プリアンブルシンボル以外の残りＳＡ−プリアンブルシンボルでは、既存ＳＡ−プリアンブルをそのまま転送することができる。また、特定基地局のＬＢＳ位置ビーコンを実際に転送するＬＢＳゾーンで隣接基地局がＳＡ−プリアンブルをミュートしなければならない場合に、ミュートすべきＳＡ−プリアンブルシンボルがあらかじめ定められているため、これら隣接基地局はＬＢＳ再使用パターンの位置を別に確認しなくとも、ＬＢＳスーパーフレームであらかじめ定められたＳＡ−プリアンブルシンボルのみを容易にミュートできるという利点がある。
【００９４】
上述の図９乃至図１３の実施例において、一つのＬＢＳゾーンが支援するＬＢＳ位置ビーコン用の再使用パターンの個数Ｒは、下記のように表現することができる。
【００９５】
【数１】
0005611352.tif 000002
【００９６】
ＮＬＢＳ  ｓｕｐｅｒｆｒａｍｅ  ｉｎ  ＬＢＳ  ｚｏｎｅは、ＬＢＳゾーンを構成するスーパーフレームの個数を表し、ＮＬＢＳ  ｓｙｍｂｏｌ  ｉｎ  ＬＢＳ  ｓｕｐｅｒｆｒａｍｅは、ＬＢＳゾーンの属しているスーパーフレーム当たりにＬＢＳ位置ビーコンを割り当て可能なシンボルの個数を表し、Ｎｃａｒｒｉｅｒ  ｓｅｔ  ｉｎ  ＬＢＳ  ｓｙｍｂｏｌは、ＬＢＳゾーンでＬＢＳ位置ビーコンを割り当て可能なシンボルのセグメントの個数を表す。例えば、図１３では、ＬＢＳゾーンが総３個のスーパーフレームをスパンするので、ＮＬＢＳ  ｓｕｐｅｒｆｒａｍｅ  ｉｎ  ＬＢＳ  ｚｏｎｅは３であり、各ＬＢＳスーパーフレーム別に最後のＳＡ−プリアンブルシンボルにＬＢＳ位置ビーコンが割り当てられるので、  ＮＬＢＳ  ｓｙｍｂｏｌ  ｉｎ  ＬＢＳ  ｓｕｐｅｒｆｒａｍｅは１であり、この最後のＳＡ−プリアンブルシンボルが３個のセグメントに区分され、それらの一つにＬＢＳ位置ビーコンを割り当てることができるので、Ｎｃａｒｒｉｅｒ  ｓｅｔ  ｉｎ  ＬＢＳ  ｓｙｍｂｏｌは３であり、よって、一つのＬＢＳゾーンが総９個の再使用パターンを支援する。
【００９７】
本発明は、各基地局が転送するＬＢＳ位置ビーコンの位置をセルによらずに設定する実施例、及びセルによって固有に設定する実施例を含む。基地局は、該基地局がＬＢＳ位置ビーコンに代えたＳＡ−プリアンブル及び／または周波数セグメントを特定する情報を端末にシグナリングすることができる。この情報は、ＭＡＣ制御メッセージ、ＳＦＨ、またはＰＡ−プリアンブルを通じて端末に転送することができる。セルによって固有にＬＢＳ位置ビーコンの位置が定められる場合に、端末は、既存ＳＡ−プリアンブルからセルＩＤを獲得してＬＢＳ位置ビーコンの位置を確認することもできる。ＬＢＳ位置ビーコンの割り当てられる位置がセルＩＤによる場合に、すなわち、セル−特定的に定められる場合に、ＬＢＳ位置ビーコンを割り当てる方法に関する実施例は、表１乃至表１０を参照して後述する。
【００９８】
［ＬＢＳ位置測定信号転送の第２方案］
既存ＳＡ−プリアンブルをＬＢＳ位置ビーコンに代える場合に、既存ＳＡ−プリアンブルの性能が低下する。既存システムへの影響を最小化するために、本発明に係るＬＢＳ位置測定信号転送の第２方案は、既存ＳＡ−プリアンブルは、既存のシンボル位置及び搬送波セットでそのまま転送し、ＬＢＳ支援のための追加的なプリアンブルを転送する。このために、ＬＢＳゾーンの属しているスーパーフレーム内の既存ＳＡ−プリアンブルをＬＢＳ位置ビーコンに代えず、該ＬＢＳゾーンに属しているシンボルのうち、ＳＦＨ（ＳｕｐｅｒＦｒａｍｅ  Ｈｅａｄｅｒ）、ＰＡ（Ｐｒｉｍａｒｙ  Ａｄｖａｎｃｅｄ）−プリアンブル及びＳＡ−プリアンブルが割り当てられるシンボル以外の残りシンボルの少なくとも一つにＬＢＳ位置ビーコンを割り当てる。すなわち、本発明のＬＢＳ位置測定信号転送の第２方案では、既存ＳＡ−プリアンブルは既存の位置及び既存の転送時間でそのまま転送し、ＬＢＳを支援するために追加的な位置測定用同期信号を転送する。本発明のＬＢＳ位置測定信号転送の第２方案によれば、既存システムのＳＡ−プリアンブルはいずれもそのまま転送されるので、既存ＳＡ−プリアンブルの性能に影響を及ぼすことがない。
【００９９】
ＬＢＳ位置ビーコンが転送される位置は、既存プリアンブル、すなわち、ＰＡ−プリアンブル及び／またはＳＡ−プリアンブルを一定間隔でシフトして得ることができる。シフトされる度合は、ＯＦＤＭＡシンボル単位でもよく、サブフレーム単位あるいはフレームでもよい。既存プリアンブル位置からシフトされる程度は、あらかじめ定められた値でもよく、ＭＡＣ制御メッセージ、ＳＦＨ、ＰＡ−プリアンブルを通じて端末にシグナリングされてもよい。以下では、既存ＳＡ−プリアンブルシンボルを基準に一定間隔でシフトした位置に在るシンボルがＬＢＳ位置ビーコンの転送に用いられる例にして説明する。ＰＡ−プリアンブルシンボルから一定間隔シフトした位置に在るシンボルをＬＢＳ位置ビーコンの転送に用いる場合にも、同様の方式で本発明の第２方案を適用することができる。
【０１００】
以下、図１４乃至図１８を参照して、上記第２方案に係る実施例を詳細に説明する。
【０１０１】
図１４は、ＬＢＳゾーンが一つのスーパーフレームにわたっており、既存ＳＡ−プリアンブルの割り当てらているフレームのいずれか一方におけるシンボルをＬＢＳ位置ビーコンの転送に用いる実施例を示す図である。
【０１０２】
既存にプリアンブルが割り当てられるシンボル、すなわち、フレームの最初のシンボルを除外した残りＯＦＤＭＡシンボルを、ＬＢＳ位置ビーコンの割当に用いることができる。例えば、図１４を参照すると、ＬＢＳスーパーフレームの最後のフレームにおける最初のシンボルは、既存ＳＡ−プリアンブルの転送に用いられ、この最後のフレームにおける最初のサブフレーム（ＳＦ０）の残りシンボルが、ＬＢＳ位置ビーコンの転送に用いられる。
【０１０３】
図１４（ａ）は、ＳＦ０の５シンボルがＬＢＳ位置ビーコンの転送に用いられる場合であり、一つのＬＢＳゾーンが５個の再使用パターンを支援する。
【０１０４】
図１４（ｂ）は、ＳＦ０の５シンボルのそれぞれが３個のセグメントに区分され、ＬＢＳ位置ビーコンの転送に用いられる場合であり、一つのＬＢＳゾーンが５＊３個、すなわち、１５個の再使用パターンを支援する。
【０１０５】
図１４（ｃ）は、シンボルの３周波数セグメントの一部のセグメントのみがＬＢＳ位置ビーコンの転送に用いられる場合である。図１４（ｃ）を参照すると、２個のセグメントのみがＬＢＳ位置ビーコンの転送に用いられ、一つのＬＢＳゾーンが５＊２個、すなわち、１０個の再使用パターンを支援する。ＬＢＳ位置ビーコンの転送に用いられていないセグメント１に対応するＣａｒｒｉｅｒＳｅｔ０は、制御チャネルが割り当てられたセグメントである。
【０１０６】
図１４（ｄ）は、５シンボルの一部の周波数帯域を除いて、残りの周波数帯域をＬＢＳ位置ビーコンの転送に用いる場合である。図１４（ｄ）を参照すると、例えば、ＣａｒｒｉｅｒＳｅｔ１の一部は、制御チャネル、例えば、Ａ−ＭＡＰ（Ａｄｖａｎｃｅｄ  ＭＡＰ）の転送に用いられ、残りはＬＢＳ位置ビーコンの転送に用いられる。ＣａｒｒｉｅｒＳｅｔ１のうち、制御チャネルが転送される帯域を除く残りの帯域は、他の周波数帯域、例えば、ＣａｒｒｉｅｒＳｅｔ２またはＣａｒｒｉｅｒＳｅｔ３に従属して一つのセグメントとしてＬＢＳ位置ビーコンの転送に用いられる。例えば、ＳＦ０の２番目のシンボルについて、ＣａｒｒｉｅｒＳｅｔ２にＬＢＳ位置ビーコンが割り当てられる場合に、ＣａｒｒｉｅｒＳｅｔ１のうち、制御チャネルが転送されない周波数帯域にＬＢＳ位置ビーコンを割り当てることができる。この場合、図１４（ｄ）のＬＢＳゾーンは、５＊２個、すなわち、１０個の再使用パターンを支援することができる。他の例として、ＣａｒｒｉｅｒＳｅｔ１のうち、制御チャネルが転送されない残りの周波数帯域が、ＣａｒｒｉｅｒＳｅｔ２及びＣａｒｒｉｅｒＳｅｔ３と独立した周波数セグメントとしてＬＢＳ位置ビーコンの転送に用いられてもよい。すなわち、ＣａｒｒｉｅｒＳｅｔ１の上記残りの周波数帯域が一つの再使用パターンとして用いられてもよい。この場合、図１４（ｄ）のＬＢＳゾーンは、５＊３個、すなわち、１５個の再使用パターンを支援することができる。
【０１０７】
図１５は、ＬＢＳゾーンが一つのスーパーフレームにわたっており、既存ＳＡ−プリアンブルが割り当てられているフレームのうちの２以上のフレームにおけるシンボルを、ＬＢＳ位置ビーコンの転送に用いる実施例を示す図である。
【０１０８】
図１５の実施例は、複数のフレーム内のシンボルがＬＢＳ位置ビーコンの転送に用いられるという点が、図１４の実施例と異なる。図１５の実施例は、ＬＢＳ位置ビーコンの割当に使用可能なシンボルの個数がフレームの個数に比例して増加するので、同一個数のスーパーフレームが支援する再使用パターンの個数が増加する。例えば、図１５では、Ｆ２及びＦ３のそれぞれにおいて２番目から６番目のシンボルがＬＢＳ位置ビーコンの転送に用いられるので、図１５のＬＢＳゾーンは、図１４のＬＢＳゾーンに比べて２倍の再使用パターンを支援する。
【０１０９】
図１６は、ＬＢＳゾーンが複数の連続するスーパーフレームにわたっており、各スーパーフレーム別に少なくとも１個のシンボルをＬＢＳ位置ビーコンの転送に用いる実施例を示す図である。
【０１１０】
図１６を参照すると、一つのＬＢＳゾーンが３個の連続するスーパーフレーム０（ＳＵ０）、スーパーフレーム１（ＳＵ１）、スーパーフレーム２（ＳＵ２）にわたって転送される。ＳＵ０、ＳＵ１及びＳＵ２のそれぞれにおいて既存のＳＦＨ、ＰＡ−プリアンブル及びＳＡ−プリアンブルが転送されるシンボルを除いた残りシンボルの一つがＬＢＳ位置ビーコンの転送に用いられる。すなわち、５個のシンボルの一部のみがＬＢＳ位置ビーコンの転送に用いられる。
【０１１１】
そのため、一つのＬＢＳゾーンにわたってＬＢＳ位置ビーコンが割り当てられることが可能なシンボルは、総３個となる。一方、ＬＢＳ位置ビーコンが割り当てられることが可能なＬＢＳシンボルが区分される周波数セグメントの数によって、ＬＢＳ位置ビーコンの転送のための再使用パターンの個数が異なってくる。例えば、図１６（ａ）では、ＬＢＳ位置ビーコンが３個のシンボルの一つに割り当てられるので、再使用パターンの個数が３になり、図１６（ｂ）では、一つのシンボルが３個の周波数セグメントに分けられてＬＢＳ位置ビーコンが割り当てられるので、再使用パターンの個数が９になり、図１６（ｃ）では、一つのシンボル当たり２個の周波数セグメントがＬＢＳ位置ビーコンの転送に用いられるので、再使用パターンの個数は６になる。
【０１１２】
基地局は、ＳＡ−プリアンブルが転送されるスーパーフレームのＳＡ−プリアンブルシンボルを除く残りＯＦＤＭＡシンボルのうち、ＬＢＳ位置ビーコン用に用いられるシンボル、すなわち、ＬＢＳシンボルを特定する情報を端末にシグナリングすることができる。これは、ビットマップ形態でシグナリングしてもよく、或いは、ＬＢＳ位置ビーコンのための開始シンボルがあらかじめ定められている場合には、用いられるシンボルの個数を示す情報を３ビットでシグナリングしてもよい。ビットマップの形態でＬＢＳシンボルを指定する場合に、例えば、００１００ｂは、５個のＯＦＤＭＡシンボルのうち３番目のＯＦＤＭＡシンボルがＬＢＳシンボルとして用いられることを表すことができる。他の例として、ＬＢＳシンボルの開始位置が、ＬＢＳサブフレームを構成する６個のシンボルのうち２番目と固定されている場合に、基地局は００１ｂを転送し、端末は、００１ｂから、１個のシンボルのみＬＢＳシンボルとして用いられることを確認し、結局、２番目のシンボルがＬＢＳシンボルであることが認識できる。または、基地局が０１０ｂを転送し、端末は、０１０ｂから、２個のシンボルがＬＢＳシンボルとして用いられることを確認し、結局、２番目及び３番目のシンボルがＬＢＳシンボルであることが認識できる。
【０１１３】
図１６では、説明の便宜のために、ＬＢＳゾーンの属しているスーパーフレーム当たり１個のシンボルのみＬＢＳ位置ビーコンの転送に用いられる場合を例にしたが、より多い個数のシンボルが用いられてもよい。この場合、スーパーフレーム当たりにＬＢＳ位置ビーコンが割り当てられることが可能なシンボルの個数が増加するに比例して、一つのＬＢＳゾーンが支援する再使用パターンの個数が増加する。
【０１１４】
上述した図１４乃至図１６の実施例において、一つのＬＢＳゾーンが支援する再使用パターンの個数Ｒは、下記のように表現することができる。
【０１１５】
【数２】
0005611352.tif 000003
【０１１６】
ＮＬＢＳ  ｓｕｐｅｒｆｒａｍｅ  ｉｎ  ＬＢＳ  ｚｏｎｅは、ＬＢＳゾーンを構成するスーパーフレームの個数を表し、ＮＬＢＳ  ｓｙｍｂｏｌ  ｉｎ  ＬＢＳ  ｓｕｐｅｒｆｒａｍｅは、ＬＢＳゾーンの属しているスーパーフレーム当たりにＬＢＳ位置ビーコンが割り当てられることが可能なシンボルの個数を表し、Ｎｃａｒｒｉｅｒ  ｓｅｔ  ｉｎ  ＬＢＳ  ｓｙｍｂｏｌは、ＬＢＳシンボルにおいてＬＢＳ位置ビーコンが割り当てられることが可能な周波数セグメントの個数を表す。例えば、図１６（ｂ）では、ＬＢＳゾーンが総３個のスーパーフレームをスパンするので、ＮＬＢＳ  ｓｕｐｅｒｆｒａｍｅ  ｉｎ  ＬＢＳ  ｚｏｎｅは３であり、各ＬＢＳスーパーフレーム別に１個のシンボルにＬＢＳ位置ビーコンを割り当てることができるため、ＮＬＢＳ  ｓｙｍｂｏｌ  ｉｎ  ＬＢＳ  ｓｕｐｅｒｆｒａｍｅは１であり、ＬＢＳシンボル当たりに３個の周波数セグメントをＬＢＳ位置ビーコンの転送に用いることができるため、Ｎｃａｒｒｉｅｒ  ｓｅｔ  ｉｎ  ＬＢＳ  ｓｙｍｂｏｌは３になり、一つのＬＢＳゾーンが総９個の再使用パターンを支援する。
【０１１７】
図１４（ｃ）、図１５（ｃ）及び図１６（ｃ）の実施例は、ＬＢＳシンボルの全周波数帯域ではなく、一部の周波数セグメントのみをＬＢＳ位置ビーコンの転送に用い、残りの周波数セグメントは一般の制御チャネル及び／またはデータの転送に用いる。特に、全ての周波数セグメントがＬＢＳ位置ビーコンの転送に用いられる場合に、制御チャネルとの関係で問題が生じることがある。例えば、現在、Ａ−ＭＡＰは毎サブフレームごとに転送されなければならないが、ＬＢＳシンボルの全ての周波数セグメントがＬＢＳ位置ビーコンの転送のために留保されると、Ａ−ＭＡＰが転送されないことがある。Ａ−ＭＡＰの転送失敗はＨＡＲＱ転送失敗につながり、通信システムの全体性能を低下させてしまう。そのため、図１４（ｃ）、１５（ｃ）及び図１６（ｃ）の実施例は、ＬＢＳシンボルを構成する複数の周波数セグメントの一部のみをＬＢＳシンボルの転送に用いる。残りの周波数セグメントには、Ａ−ＭＡＰなどの制御チャネルの転送のために、ＬＢＳ位置ビーコンを割り当てない。基地局は、ＭＡＣ制御メッセージ、ＳＦＨまたはＰＡ−プリアンブルを通じてＬＢＳ位置ビーコンの転送に用いられる周波数セグメントを端末にシグナリングすることができる。例えば、ＬＢＳシンボルが３個の周波数セグメントに区分される場合に、基地局は、３ビットのビットマップで、これら３個の周波数セグメントのうち、ＬＢＳ位置ビーコンが転送されることが可能なセグメントを知らせることができる。例えば、０１０ｂに設定されたビットマップは、２番目のセグメントがＬＢＳ位置ビーコンの割当に用いられることを表すことができる。他の例として、３個の周波数セグメントのうちのいずれかが開始セグメントと固定されており、用いられるセグメントの個数情報を２ビットでシグナリングすることもできる。例えば、図１４（ｃ）を参照すると、２番目のセグメントからＬＢＳ位置ビーコンの転送に用いることができる場合に、１０ｂのビット列を転送して２番目のセグメントから２個のセグメントがＬＢＳ位置ビーコンの転送に用いられることを表すことができる。
【０１１８】
一方、ＬＢＳ位置ビーコンの転送に用いられる周波数セグメントを明示的にシグナリングしなくとも、端末はＳＦＨにより指示されるＡ−ＭＡＰ領域の情報により暗黙的にＬＢＳ位置ビーコンの転送に用いられるセグメントを認識することができる。例えば、図１４（ｃ）、図１５（ｃ）または図１６（ｃ）を参照すると、ＳＦＨはＣａｒｒｉｅｒＳｅｔ０にＡ−ＭＡＰが割り当てられるという情報を含むことができ、端末は、ＣａｒｒｉｅｒＳｅｔ０以外のＣａｒｒｉｅｒＳｅｔ１及びＣａｒｒｉｅｒＳｅｔ２がＬＢＳ位置ビーコンの転送に用いられることを確認することができる。
【０１１９】
図１４（ｄ）、図１５（ｄ）及び図１６（ｄ）の実施例は、図１４（ｃ）、図１５（ｃ）及び図１６（ｃ）の実施例と同様に、ＬＢＳシンボルの全体周波数セグメントではなく、一部のセグメントを制御チャネルの転送に用いるが、一部のセグメントのうち、制御チャネルの割り当てられた周波数帯域以外の残り周波数帯域にはＬＢＳ位置ビーコンを割り当てる。例えば、図１４（ｃ）、図１５（ｃ）または図１６（ｃ）を参照すると、ＣａｒｒｉｅｒＳｅｔ０の一部は、制御チャネルの転送のためにＬＢＳ位置ビーコンが割り当てられないが、残り部分にはＬＢＳ位置ビーコンが割り当てられる。例えば、ＨＡＲＱ  ＡＣＫ／ＮＡＣＫ関連Ａ−ＭＡＰが転送されるとすれば、このＡ−ＭＡＰのサイズは、ＳＦＨにより指示されるＨＡＲＱ  Ａ−ＭＡＰサイズ情報、すなわち、帯域幅（ｂａｎｄｗｉｄｔｈ）別に用いられたＡＣＫ／ＮＡＣＫチャネルの数からわかる。
【０１２０】
上述の図９乃至図１６の実施例は、ＬＢＳ位置ビーコンを転送可能なシンボルの位置（ｐｏｓｉｔｉｏｎ）が限定されている。言い換えると、ＬＢＳゾーンにおける再使用パターンの少なくとも一つにＬＢＳ位置ビーコンが割り当てられるが、これらの再使用パターンを構成するシンボル及び搬送波セットのスーパーフレームにおける位置が変わらない。しかし、これと違い、セル別に再使用パターンが変わることも可能である。図１７乃至図１９は、ＬＢＳゾーンにおいてＬＢＳ位置ビーコンを転送可能な再使用パターンの位置が、セルによって変わる実施例を示す図である。図１７乃至図１９においてｓｈｉｆｔ＿ｏｆｆｓｅｔはセルによって変わる値である。
【０１２１】
図１７は、ＬＢＳゾーンが一つのスーパーフレームにわたっており、既存ＳＡ−プリアンブルから所定区間シフトした位置に在るシンボルをＬＢＳ位置ビーコンの転送に用いる実施例を示す図である。図１７を参照すると、既存３個のＳＡ−プリアンブルシンボルからそれぞれ一定区間シフトした位置に在る３個のシンボルを、ＬＢＳ位置ビーコンの転送に用いることができる。これらのＬＢＳシンボルがそれぞれ、３個の搬送波セットに区分される場合に、該当のＬＢＳゾーンは総９個のＬＢＳ位置ビーコン用の再使用パターンを支援する。
【０１２２】
図１８は、ＬＢＳゾーンが複数の連続したスーパーフレームにわたっており、各スーパーフレームの一つのＳＡ−プリアンブルから所定区間シフトした位置に在るシンボルをＬＢＳ位置ビーコンの転送に用いる実施例を示す図である。図１８を参照すると、各スーパーフレーム内の３個のＳＡ−プリアンブルシンボルの一つ、例えば、最後のＳＡ−プリアンブルシンボルから所定区間シフトした位置に在るシンボルをＬＢＳ位置ビーコンの転送に用いることができる。そのため、複数の連続したスーパーフレームでそれぞれ１個のシンボルをＬＢＳ位置ビーコンの転送に用いることができ、図１８では、総３個のシンボルをＬＢＳシンボルとしてＬＢＳ位置ビーコンの転送に用いることができる。これらＬＢＳシンボルがそれぞれ３個の搬送波セットに区分される場合に、当該ＬＢＳゾーンは、総９個のＬＢＳ位置ビーコン用の再使用パターンを支援する。
【０１２３】
図１９は、ＬＢＳゾーンが複数の連続したスーパーフレームにわたっており、これら複数の連続したスーパーフレーム内のＳＡ−プリアンブルシンボルから所定区間シフトした位置に在るシンボルをＬＢＳ位置ビーコン転送に用いる実施例を示す図である。図１９を参照すると、総３個の連続したスーパーフレームがＬＢＳゾーンを構成し、各スーパーフレーム内の３個のＳＡ−プリアンブルから所定区間シフトした位置に在るシンボルがＬＢＳ位置ビーコンの転送に用いられ、当該ＬＢＳゾーンで総３＊３＝９個のシンボルをＬＢＳ位置ビーコンの転送に用いることができる。これらＬＢＳシンボルがそれぞれ３個の搬送波セットに区分される場合に、当該ＬＢＳゾーンは総２７個のＬＢＳ位置ビーコン用の再使用パターンを支援する。
【０１２４】
図１７乃至図１９で説明した通り、セル別に、ＬＢＳ位置ビーコンを割り当て可能なシンボルを変えることができる。例えば、ＬＢＳ位置ビーコンが転送されるシンボルの位置は、下記のように定義できる。
【０１２５】
【数３】
0005611352.tif 000004
【０１２６】
ｓｈｉｆｔ＿ｏｆｆｓｅｔｓｙｍｂｏｌは、あらかじめ定められた値でもよく、ＭＡＣ制御メッセージ、ＳＦＨまたはＰＡ−プリアンブルを通じてシグナリングされる値でもよい。このｓｈｉｆｔ＿ｏｆｆｓｅｔｓｙｍｂｏｌは、一つ以上のＯＦＤＭＡシンボルでよい。この時、スーパーフレーム内の１番目のフレームインＦ０の最初のシンボルの次にはＳＦＨが割り当てられるので、ＬＢＳ位置ビーコンがＳＦＨと衝突しないように割り当てられなければならない。このために、スーパーフレーム内のＦ０については、ＬＢＳ位置ビーコンの割り当てられる位置を、下記のように定義することができる。
【０１２７】
【数４】
0005611352.tif 000005
【０１２８】
数学式２と同様に、ｓｈｉｆｔ＿ｏｆｆｓｅｔｓｙｍｂｏｌは、あらかじめ定められた値でもよく、ＭＡＣ制御メッセージ、ＳＦＨまたはＰＡ−プリアンブルを通じてシグナリングされる値でもよい。数学式２と同様に、ｓｈｉｆｔ＿ｏｆｆｓｅｔｓｙｍｂｏｌは、一つ以上のＯＦＤＭＡシンボルを意味することができる。数学式３で、ｎｕｍｂｅｒ  ｏｆ  ＳＦＨ  ＯＦＤＭＡ  ｓｙｍｂｏｌｓは、ＳＦＨが割り当てられるシンボルの個数を意味する。
【０１２９】
一方、ＬＢＳ位置ビーコンが、既存ＳＡ−プリアンブルが割り当てられるサブフレーム以外の他のサブフレームに割り当てられてもよい。既存プリアンブルはスーパーフレームにおけるフレームの最初のシンボルで転送される。すなわち、既存プリアンブルは、各フレームの最初のサブフレームで転送される。既存プリアンブルとの衝突を避けるために、ＬＢＳ位置ビーコンを、既存サブフレームと異なるサブフレームに割り当てることができ、ＬＢＳ位置ビーコンを割り当て可能なＬＢＳサブフレームをセル別に変えることができる。ＬＢＳ位置ビーコンを割り当て可能なＬＢＳサブフレームは、下記のように定義できる。
【０１３０】
【数５】
0005611352.tif 000006
【０１３１】
ここで、ｓｈｉｆｔ＿ｏｆｆｓｅｔｓｕｂｆｒａｍｅは、あらかじめ定められた値でもよく、ＭＡＣ制御メッセージ、ＳＦＨまたはＰＡ−プリアンブルを通じてシグナリングされる値でもよい。ｓｈｉｆｔ＿ｏｆｆｓｅｔｓｕｂｆｒａｍｅは、一つ以上のサブフレームでよい。他のプリアンブルとＬＢＳ位置ビーコンとの衝突を防止するために、ｓｈｉｆｔ＿ｏｆｆｓｅｔｓｕｂｆｒａｍｅは１フレームを構成するスーパーフレームの個数を越えないように定義できる。
【０１３２】
一方、図１７乃至図１９の実施例で、各ＬＢＳゾーンが支援する再使用パターンの個数は、該当のＬＢＳゾーンでＬＢＳ位置ビーコンの転送に参加するシンボルの個数に依存する。また、図１４（ｂ）乃至（ｄ）、図１５（ｂ）乃至（ｄ）、図１６（ｂ）乃至（ｄ）と同様に、各ＬＢＳシンボルが複数の搬送波セットに区分され、区分された搬送波セットのいくつの搬送波がＬＢＳ位置転送に参加するかに依存する。例えば、図１４（ｃ）、図１５（ｃ）または図１６（ｃ）を参照すると、ＬＢＳシンボルが３個の搬送波セットに区分され、これらのうち一つの搬送波セット、すなわち、一つの周波数セグメントが、制御チャネルの転送のため、ＬＢＳ位置転送に用いられない場合に、ＬＢＳゾーンはＬＢＳシンボル当たり２個の再使用パターンを支援する。図１７乃至図１９の実施例で、各ＬＢＳゾーンが支援する再使用パターンの個数Ｒは、下記のように表現することができる。
【０１３３】
【数６】
0005611352.tif 000007
【０１３４】
ここで、ＮＬＢＳ  ｓｙｍｂｏｌ  ｉｎ  ＬＢＳ  ｚｏｎｅは、ＬＢＳゾーンにおいてＬＢＳ位置ビーコンの転送に参加できるシンボルの個数を表し、Ｎｃａｒｒｉｅｒ  ｓｅｔ  ｉｎ  ＬＢＳ  ｓｙｍｂｏｌは、ＬＢＳ位置ビーコンの転送に参加できる各シンボルにおいてＬＢＳ位置ビーコンを転送可能な周波数セグメントの個数を表す。
【０１３５】
以上、ＬＢＳシンボルの周波数帯域が１または３個の周波数セグメントに区分される場合を例にして説明した。しかし、ＬＢＳシンボル内のセグメントの個数、すなわち、搬送波セットの個数は様々に変化可能である。搬送波セットの個数が増加すると、ＬＢＳゾーン内の再使用パターンの個数も増加する。
【０１３６】
図９乃至図１３の実施例で言及した通り、図１４乃至図１９の実施例において各基地局が転送するＬＢＳ位置ビーコンの位置は、セルと無関係に定められてもよく、セルと関連して固有に定められてもよい。すなわち、ＬＢＳゾーン内の多数の再使用パターンのうち、実際にＬＢＳ位置ビーコンが割り当てられるパターンがセルによらずに定められてもよく、セルによって固有に定められてもよい。基地局は、当該基地局が多数のＬＢＳ位置ビーコンの割当位置のうち、実際にＬＢＳ位置ビーコンの割り当てられたＳＡ−プリアンブルシンボル及び／または周波数セグメントを特定する情報を端末にシグナリングすることができる。すなわち、ＬＢＳゾーン内の多数の再使用パターンのうち、ＬＢＳ位置ビーコンが実際に割り当てられた再使用パターンを特定する情報を端末にシグナリングすることができる。この情報は、ＭＡＣ制御メッセージ、ＳＦＨまたはＰＡ−プリアンブルを通じて端末に転送することができる。セルによって固有にＬＢＳ位置ビーコンの位置が定められる場合に、端末は、既存ＳＡ−プリアンブルからセルＩＤを獲得してＬＢＳ位置ビーコンの位置を確認することもできる。
【０１３７】
セル−特定的ＬＢＳ位置ビーコンの割当
以下では、表１乃至表１０を参照して、上述した図９乃至図１６によるＬＢＳ再使用パターンにセル−特定的にＬＢＳ位置ビーコンを割り当てて転送する実施例を説明する。表１乃至表１０で、ＬＢＳゾーン内のＬＢＳシンボルインデックスは、ＬＢＳゾーンでＬＢＳ位置ビーコンを割り当て可能なシンボル（以下、ＬＢＳシンボル）に０から順次に割り当てられた番号である。そのため、ＬＢＳシンボルインデックス０は、ＬＢＳゾーン内の１番目のＬＢＳシンボルを意味し、ＬＢＳシンボルインデックス１は、ＬＢＳゾーン内の２番目のＬＢＳシンボルを意味する。また、表１乃至表１０で、セグメントｎ（搬送波セットｎ）は、ＬＢＳシンボルの周波数セグメントに０から順次に与えられた番号である。例えば、セグメント０は、シンボルの周波数セグメントのうち、１番目のセグメントを意味し、セグメント１は、２番目のセグメントを意味し、セグメント２は、３番目のセグメントを意味する。
【０１３８】
本発明の各基地局は、該当の基地局に与えられたセルＩＤに依存してＬＢＳ位置ビーコンをＬＢＳゾーンで端末に転送することができる。
【０１３９】
図９乃至図１９は、一つのＬＢＳゾーンでＬＢＳ位置ビーコンを割り当て可能な位置に関連した実施例を説明している。すなわち、ＬＢＳゾーンがｎ個の再使用パターンを支援する場合に、ＬＢＳ位置ビーコンを割り当て可能な位置は、ｎ個になる。上述したように、本発明で、一つの再使用パターンは、１個のシンボルと１個の搬送波セットで定義されるリソース領域を意味する。再使用パターン同士には直交性が存在するので、隣接する基地局が互いに異なる再使用パターンを通じてＬＢＳ位置ビーコンを転送する場合に、ＬＢＳ位置ビーコン同士の干渉を減らすことができる。これは、端末のＬＢＳ位置ビーコンに対する可聴性（ｈｅａｒａｂｉｌｉｔｙ）を向上させ、より正確な位置測定を可能にする。セル特定的にＬＢＳ位置ビーコンを転送する場合に、ＬＢＳ位置ビーコンを転送する再使用パターンが変わる確率が高まり、結果として隣接基地局同士の干渉を低減できるという効果を奏する。
【０１４０】
無線システムにおいて各セルはＩＤを有している。本発明は、無線システムで利用可能な全てのセルＩＤ（ｃｅｌｌ−ＩＤ）を、Ｒ個のプリアンブル位置／ＬＢＳグループ（Ｐｒｅａｍｂｌｅ  Ｌｏｃａｔｉｏｎ／ＬＢＳ  Ｇｒｏｕｐ、ＰＬＧ）で区別する。ここで、Ｒは、ＬＢＳゾーンが支援する再使用パターンの個数を表す。
【０１４１】
図１０、図１３及び図１６（ｂ）を参照すると、図１０、図１３及び図１６（ｂ）のＬＢＳゾーンは、総９個の再使用パターンを支援する。これら９個の再使用パターンは表１または表２のように、１個のシンボル及び１個の搬送波セットによりそれぞれ定義できる。
【０１４２】
【表１】
0005611352.tif 000008
【０１４３】
【表２】
0005611352.tif 000009
【０１４４】
例えば、表１及び図１３を参照すると、基地局Ａのｃｅｌｌ−ＩＤがＰＬＧ０に属している場合に、基地局Ａは、ＬＢＳゾーンにおける３個のＬＢＳシンボルのうち最初のＬＢＳシンボルのセグメント０を通じてＬＢＳ位置ビーコンを端末に転送する。すなわち、基地局Ａは、ＳＵ０のＦ３のＳＡ−プリアンブルシンボルをＬＢＳシンボルに代えると共に、該ＬＢＳシンボルの３個の搬送波セットのうちＣａｒｒｉｅｒＳｅｔ０にＬＢＳ位置ビーコンを割り当てる。隣接した他の基地局Ｂのｃｅｌｌ−ＩＤがＰＬＧ８に属している場合に、この基地局Ｂは、ＳＵ２のＦ３のＳＡ−プリアンブルシンボルをＬＢＳシンボルに代えると共に、該ＬＢＳシンボルの３個の搬送波セットのうちＣａｒｒｉｅｒＳｅｔ２を通じてＬＢＳ位置ビーコンを転送する。隣接したさらに他の基地局Ｃのｃｅｌｌ−ＩＤがＰＬＧ２に属している場合、この基地局Ｃは、ＳＵ２のＦ３のＳＡ−プリアンブルシンボルをＬＢＳシンボルに代えると共に、このＬＢＳシンボルの３個の搬送波セットのうちＣａｒｒｉｅｒＳｅｔ０を通じてＬＢＳ位置ビーコンを転送する。端末は、これら基地局Ａ、Ｂ及びＣから受信したＬＢＳ位置ビーコンから位置測定を行うことができる。
【０１４５】
図１４（ｃ）を参照すると、図１４（ｃ）のＬＢＳゾーンは総１０個の再使用パターンを支援する。これら１０個の再使用パターンは、表３または表４のように、１個のシンボル及び１個の搬送波セットによりそれぞれ定義できる。
【０１４６】
【表３】
0005611352.tif 000010
【０１４７】
【表４】
0005611352.tif 000011
【０１４８】
例えば、表４及び図１４（ｃ）を参照すると、基地局Ａのｃｅｌｌ−ＩＤがＰＬＧ０に属している場合に、この基地局Ａは、ＬＢＳゾーン内の５個のＬＢＳシンボルのうち最初のＬＢＳシンボルの周波数セグメント１を通じてＬＢＳ位置ビーコンを端末に転送する。すなわち、基地局Ａは、ＳＵ０のＦ３内のＳＦ０の２番目のシンボルを通じてＬＢＳ位置ビーコンを転送すると共に、２番目のシンボルの３個の副搬送波セットのうちＣａｒｒｉｅｒＳｅｔ１を通じてＬＢＳ位置ビーコンを転送する。隣接した他の基地局Ｂのｃｅｌｌ−ＩＤがＰＬＧ８に属している場合に、この基地局Ｂは、ＳＵ０のＦ３内のＳＦ０の５番目のシンボルを通じてＬＢＳ位置ビーコンを転送するとともに、該５番目のシンボルのＣａｒｒｉｅｒＳｅｔ２を通じてＬＢＳ位置ビーコンを転送する。隣接したさらに他の基地局Ｃのｃｅｌｌ−ＩＤがＰＬＧ２に属している場合に、この基地局Ｃは、ＳＵ０のＦ３内のＳＦ０の４番目のシンボルを通じてＬＢＳ位置ビーコンを転送すると共に、該４番目のシンボルの３個の搬送波セットのうちＣａｒｒｉｅｒＳｅｔ１を通じてＬＢＳ位置ビーコンを転送する。端末は、基地局Ａ、Ｂ及びＣから受信したＬＢＳ位置ビーコンから、位置関連パラミートを測定することができる。
【０１４９】
ＬＢＳゾーンが支援する再使用パターンの個数によって、異なる形態でＬＢＳ位置ビーコンが割り当てもよい。例えば、ＬＢＳゾーンが支援する再使用パターンの個数が１２の場合に、表５または表６によってＬＢＳ位置ビーコンが割り当てられてもよい。
【０１５０】
【表５】
0005611352.tif 000012
【０１５１】
【表６】
0005611352.tif 000013
【０１５２】
特定セルの属するＰＬＧを決定する方法には種々のものがある。そのいくつかの実施例を説明すると、下記の通りである。
【０１５３】
【数７】
0005611352.tif 000014
【０１５４】
特定ｃｅｌｌ−ＩＤを持つセルに属している基地局は、数学式７によって、ＬＢＳ位置ビーコンを転送するＰＬＧがわかる。例えば、ｃｅｌｌ−ＩＤが７６８であるとする。無線システム内の各セルは、０〜７６７のｃｅｌｌ−ＩＤの一つをセルＩＤとして持つ。ＬＢＳゾーンが支援する再使用パターンの個数が３の場合に、ｃｅｉｌ（（ｔｏｔａｌ  ｎｕｍｂｅｒ  ｏｆ  ｃｅｌｌ−ＩＤｓ）／Ｒ）は、ｃｅｉｌ（７６８／３）＝２５６であり、７６８個のｃｅｌｌ−ＩＤは２５６個ずつグルーピングされる。そのため、０〜２５５のｃｅｌｌ−ＩＤを持つ基地局は、該当セルのＬＢＳ位置ビーコンを、３個のＰＬＧのうち１番目のＰＬＧであるＰＬＧ０を通じて端末に転送し、２５６〜５１１のｃｅｌｌ−ＩＤを持つ基地局は、該当セルのＬＢＳ位置ビーコンを、３個のＰＬＧのうち２番目のＰＬＧであるＰＬＧ１を通じて転送し、５１２〜７６７のｃｅｌｌ−ＩＤを持つ基地局は、該当セルのＬＢＳ位置ビーコンを、３個のＰＬＧのうち３番目のＰＬＧであるＰＬＧ２を通じて転送する。
【０１５５】
表１及び図１３を参照すると、図１３のＬＢＳゾーンは９個の再使用パターンを支援し、７６８個のｃｅｌｌ−ＩＤが９個のＰＬＧに区分される。ｃｅｉｌ（７６８／９）＝８６であり、７６８個のｃｅｌｌ−ＩＤは、８６個ずつグルーピングされる。例えば、基地局Ａのｃｅｌｌ−ＩＤが８５の場合に、ｆｌｏｏｒ（８５／８６）＝０になるので、基地局ＡはＰＬＧ０を通じてＬＢＳ位置ビーコンを該当のカバレッジ内の端末に転送する。表１及び図１３を参照すると、基地局Ａは、ＳＵ０内のＦ３のＳＡ−プリアンブルシンボルを通じてＬＢＳ位置ビーコンを転送すると共に、ＬＢＳシンボルの３個の搬送波セットのうちＣａｒｒｉｅｒＳｅｔ０を通じてＬＢＳ位置ビーコンを端末に転送する。
【０１５６】
【数８】
0005611352.tif 000015
【０１５７】
特定ｃｅｌｌ−ＩＤを持つセルに属している基地局は、数学式８によって、ＬＢＳ位置ビーコンを転送するＰＬＧがわかってもよい。ＬＢＳゾーンが支援する再使用パターンの個数が９の場合に、ｃｅｉｌ（（ｔｏｔａｌ  ｎｕｍｂｅｒ  ｏｆ  ｃｅｌｌ−ＩＤｓ）／Ｒ）は、ｃｅｉｌ（７６８／９）＝８５であり、７６８個のｃｅｌｌ−ＩＤは８５個ずつグルーピングされる。例えば、基地局Ａのｃｅｌｌ−ＩＤが８５の場合に、ｆｌｏｏｒ（８５／８５）＝１になるので、基地局Ａは、ＰＬＧ１を通じてＬＢＳ位置ビーコンを該当のカバレッジ内の端末に転送する。表１及び図１３を参照すると、この基地局Ａは、ＳＵ１内のＦ３のＳＡ−プリアンブルシンボルをＬＢＳシンボルに代えると共に、このＬＢＳシンボルの３個の搬送波セットのうちＣａｒｒｉｅｒＳｅｔ０を通じてＬＢＳ位置ビーコンを端末に転送する。
【０１５８】
【数９】
0005611352.tif 000016
【０１５９】
一方、ｃｅｌｌ−ＩＤが、例えば、数学式９のようなモジューロ演算によってグルーピングされてもよい。表１及び図１３を参照すると、ｃｅｌｌ−ＩＤが８５の基地局Ａは、ｍｏｄ（８５，９）＝ＰＬＧ４を通じて該当のＬＢＳ位置ビーコンを端末に転送する。すなわち、この基地局Ａは、ＳＵ１内のＦ３のＳＡ−プリアンブルシンボルをＬＢＳシンボルに代えると共に、このＬＢＳシンボルの３個の搬送波セットのうちＣａｒｒｉｅｒＳｅｔ１を通じてＬＢＳ位置ビーコンを端末に転送する。
【０１６０】
前述の表１乃至表６では、再使用パターンとＰＬＧとが一対一で対応する場合を例にして説明した。表１乃至表６では、再使用パターンｉは、ＰＬＧｉと一対一で対応する。しかし、複数の再使用パターンに同一のＰＬＧ番号がマッピングされることも可能である。この場合、一つのＬＢＳゾーンに同一のＰＬＧ番号がマッピングされた再使用パターンが多数存在するようになる。同一のＰＬＧ番号を持つ再使用パターンは、周波数セグメント別にさらに区分されたり、または、ＬＢＳシンボル別にさらに区分されてもよい。
【０１６１】
１個の周波数セグメントが、制御チャネルの転送のために、ＬＢＳ位置ビーコンの転送に参加しない図１４（ｃ）を参照すると、再使用パターンとＰＬＧとの対応関係は、例えば、表７または表８のように定義することができる。
【０１６２】
【表７】
0005611352.tif 000017
【０１６３】
【表８】
0005611352.tif 000018
【０１６４】
他の例として、ＬＢＳゾーン内のＬＢＳシンボルが４個で、各ＬＢＳシンボルが３個の周波数セグメントにより区分されて、再使用パターンの個数が１２である場合を想定する。この場合、再使用パターンとＰＬＧとの対応関係は、例えば、表９または表１０のように定義できる。
【０１６５】
【表９】
0005611352.tif 000019
【０１６６】
【表１０】
0005611352.tif 000020
【０１６７】
表７乃至表１０で、再使用パターンは、ＬＢＳ位置ビーコンを割り当て可能な周波数セグメントの個数によってＱ個ずつグルーピングされた後に、グルーピングされたＱ個の再使用パターンにＰＬＧがマッピングされる。例えば、ＬＢＳゾーンの支援する再使用パターンが総１２個であり、ＬＢＳ位置ビーコンを割り当て可能な周波数セグメントが３個であれば、Ｑは１２／３＝４となる。各グループ別にＱ個の再使用パターンが存在し、これらＱ個の再使用パターンにＰＬＧ０からＰＬＧＱ−１が一つずつ割り当てられる。Ｑは、ＬＢＳゾーン内のＬＢＳシンボルの個数とすることができる。
【０１６８】
表７及び図１４（ｃ）を参照すると、ＬＢＳシンボル当たりにＬＢＳ位置ビーコンが実際に割り当てられることが可能な周波数セグメントは２個であるから、１０個の再使用パターンが５個ずつ区分され、５個の再使用パターンにそれぞれＰＬＧ０〜ＰＬＧ４が順次にマッピングされる。特定周波数セグメント内のＬＢＳシンボルにマッピングされるＰＬＧ０の開始は、特定オフセット値で巡回シフト（ｃｙｃｌｉｃ  ｓｈｉｆｔ）することができる。例えば、表７を参照すると、ＰＬＧ０を各周波数セグメントにおいて４個のＬＢＳシンボルの一つにマッピングすることができる。セグメント１（図１４（ｃ）でＣａｒｒｉｅｒＳｅｔ１）においてＰＬＧ０は１番目のＬＢＳシンボルにマッピングされ、セグメント２（図１４（ｃ）でＣａｒｒｉｅｒＳｅｔ２）では、４−ＯＦＤＭＡシンボルのオフセット値が適用され、ＰＬＧ０が５番目のＬＢＳシンボルにマッピングされる。
【０１６９】
表７乃至表１０で、ＰＬＧｉに属しているｃｅｌｌ−ＩＤは、例えば、数学式１０により決定することができる。
【０１７０】
【数１０】
0005611352.tif 000021
【０１７１】
ここで、ｎは、セグメントＩＤ（搬送波セットインデックス）を表し、ＩｄｘＰＬＧｉは、ｉから２５５まで１ずつ増加するランニングインデックス（ｒｕｎｎｉｎｇ  ｉｎｄｅｘ）である。ｉは、０からＱ−１までの値を有する。Ｑは、ＬＢＳゾーン内のＬＢＳシンボルの個数とすることができる。
【０１７２】
例えば、表７を参照すると、ＬＢＳ位置ビーコンは、周波数セグメント０または１により転送される。また、ＬＢＳゾーン内に５個のＬＢＳシンボルが存在するので、ｉは０〜４の一つの値を有する。セグメント１（ｎ＝１）及び３番目のＬＢＳシンボル（ｉ＝２）で構成されたＰＬＧ２を通じてＬＢＳ位置ビーコンを転送する基地局は、２５６＊１＋２＝２５８〜２５６＊１＋２５５＝５１１のｃｅｌｌ−ＩＤを有する。
【０１７３】
前述した表１乃至表１０は、例示に過ぎず、再使用パターン、ＬＢＳシンボル、搬送波セット及びＰＬＧｉのマッピング関係を他の形態と定義することも可能である。
【０１７４】
表１乃至表１０で説明した通り、セル別に該当の基地局がＬＢＳ位置ビーコンを特定ＬＢＳシンボル及び搬送波セットで転送する場合に、端末は、ＰＡ−プリアンブルから獲得したセルＩＤに基づいて該当の基地局のＬＢＳ位置ビーコンの位置を確認できる。すなわち、ＬＢＳ位置ビーコンの位置が、ＰＡ−プリアンブルにより転送されるセルＩＤを通じて暗黙的に端末にシグナリングされる。その他にも、基地局は、ＭＡＣ制御メッセージ、ＳＦＨまたはＰＡ−プリアンブルを通じて、スーパーフレーム内のＬＢＳシンボル及び副搬送波セットを特定する情報を明示的に端末にシグナリングすることも可能である。
【０１７５】
一方、以上ではＬＢＳシンボルの再使用因子（ｒｅｕｓｅ  ｆａｃｔｏｒ）が１または３の場合のみを例にして説明した。しかし、これは例示に過ぎず、様々なＬＢＳシンボルの再使用因子が支援されてもよい。また、様々な再使用因子が支援される場合に、セルＩＤまたはセクターＩＤによってＬＢＳ位置ビーコンの転送方法を異ならせてもよい。例えば、同一のセルＩＤを持つセルに対して、セルのサイズあるいはカバレッジ、セル内の基地局の個数、再使用因子などによるパラメータによってＬＢＳシンボルのセグメントの個数を異ならせることも可能である。
【０１７６】
ＬＢＳ位置ビーコンの副搬送波へのマッピング
図２０は、ＬＢＳ位置ビーコン、すなわち、ＬＢＳ−プリアンブル信号を副搬送波にマッピングする例を示す図である。
【０１７７】
図２０を参照すると、ＬＢＳ位置ビーコンに割り当てられる副搬送波の個数は、ＦＦＴ（Ｆａｓｔ  Ｆｏｕｒｉｅｒ  Ｔｒａｎｓｆｏｒｍ、ＦＦＴ）のサイズによって異なることがある。例えば、ＬＢＳ位置ビーコンの長さは、５１２−ＦＦＴ、１０２４−ＦＦＴ及び２０４８−ＦＦＴに対してそれぞれ１４４個、２８８個及び５７６個でよい。
【０１７８】
副搬送波インデックス２５６、５１２及び１０２４が５１２−ＦＦＴ、１０２４−ＦＦＴ及び２０４８−ＦＦＴに対してＤＣ成分として予備された場合に、特定ＬＢＳ位置ビーコンに割り当てられる副搬送波は、下記の数学式１１によって特定できる。
【０１７９】
【数１１】
0005611352.tif 000022
【０１８０】
ここで、ｎは、セグメントＩＤを示すキャリアセットインデックスである。セグメント０は搬送波セット０を使用し、セグメント１は搬送波セット１を使用し、セグメント２は搬送波セット２を使用する。ＮＬは、ＬＢＳ位置ビーコンのために割り当てられる副搬送波の個数で、５１２−ＦＦＴ、１０２４−ＦＦＴ及び２０４８−ＦＦＴに対してそれぞれ、１４４、２８８及び５７６の値を有する。ｋは、０からＮＬまでのランニングインデックスである。
【０１８１】
５１２−ＦＦＴの場合に、２８８ビットのＬＢＳ位置ビーコンをそれぞれ３６ビットの長さを持つ８個のシーケンスサブブロックであるＡ、Ｂ、Ｃ、Ｄ、Ｅ、Ｆ及びＨに分割して副搬送波にマッピングすることができる。５１２−ＦＦＴの場合、Ａ、Ｂ、Ｃ、Ｄ、Ｅ、Ｆ及びＨは順次に変調された後に、セグメントＩＤに対応するＬＢＳ位置ビーコン副搬送波セットにマッピングされる。５１２−ＦＦＴよりも大きいサイズのＦＦＴの場合は、基本サブブロックであるＡ、Ｂ、Ｃ、Ｄ、Ｅ、Ｆ及びＨが同一順序で反復されて、ＬＢＳ位置ビーコン副搬送波セットにマッピングされる。例えば、１０２４−ＦＦＴの場合に、Ｅ、Ｆ、Ｇ、Ｈ、Ａ、Ｂ、Ｃ、Ｄ、Ｅ、Ｆ、Ｇ、Ｈ、Ａ、Ｂ、Ｃ、Ｄが変調されて、ＬＢＳ位置ビーコン副搬送波セットに順次にマッピングされる。
【０１８２】
参考として、一つの周波数セグメントのうち、制御チャネルの転送に用いられる部分以外の残り部分をＬＢＳ位置ビーコン転送に用いる場合に、トーン−ドロッピング（ｔｏｎｅ−ｄｒｏｐｐｉｎｇ）を用いてＬＢＳ位置ビーコンを副搬送波にマッピングすることができる。トーン−ドロッピングとは、事業者の意図によって、既存の正規システム帯域幅を基本にして特定帯域区間をドロップして非正規システム帯域幅を生成する方法のことをいう。例えば、ＩＥＥＥ  ８０２．１６ｍシステムでは、５ＭＨｚ、１０ＭＨｚ、２０ＭＨｚが正規システム帯域幅として存在し、事業者はトーンドロッピング技術を用いて５〜２０ＭＨｚ範囲の非正規システム帯域幅を生成して使用することができる。このような帯域幅情報はＰＡ−プリアンブルシーケンスを通して転送することができる。
【０１８３】
システム帯域幅とＬＢＳ位置ビーコンとの関係を説明すると、正規システム帯域幅に該当する５ＭＨｚ、１０ＭＨｚ、２０ＭＨｚ帯域は、４個のＰＲＵ（７２個の副搬送波）からなる１以上のサブバンドで構成される。また、ＬＢＳ位置ビーコンは、図２０のように、３個のＰＲＵ単位（５４個の副搬送波）からなるサブブロックを基本単位として構成される。この場合、正規システム帯域幅５ＭＨｚに対応するＬＢＳ位置ビーコンは、ＤＣ成分を基準に左側４個及び右側４個を含む総８個のサブブロックで構成され、１０ＭＨｚに対応するＬＢＳ位置ビーコンは、ＤＣ成分を基準に左側８個及び右側８個を含む総１６個のサブブロックで構成され、２０ＭＨｚに対応するＬＢＳ位置ビーコンは、ＤＣ成分を基準に左側１６個及び右側１６個を含む総３２個のサブブロックで構成される。
【０１８４】
図１４（ｄ）、図１５（ｄ）及び図１６（ｄ）のように、制御チャネルが転送されるセグメントのうち、制御チャネルの転送に用いられた帯域を除く残りの帯域を通じてＬＢＳ位置ビーコンを転送する場合に、前述したトーン−ドロッピング技術をＬＢＳ位置ビーコンの転送に用いることができる。例えば、下記の表１１に従って、ＬＢＳ位置ビーコンのサブブロックを、制御チャネルにより用いられる帯域を除く残りの帯域を通じて転送することができる。
【０１８５】
【表１１】
0005611352.tif 000023
【０１８６】
表１１で、ドロップされたサブブロックは、制御チャネルの転送に用いられる帯域幅に含まれるサブブロックの個数を意味し、トーン−ドロップされた正規チャネルＢＷは、正規帯域幅のうち、制御チャネルの転送に用いられる帯域幅を除く残りの帯域幅を意味し、サブブロックの総個数（ｔｏｔａｌ  ｎｕｍｂｅｒ  ｏｆ  ｓｕｂｂｌｏｃｋｓ）は、上記残りの帯域幅を超過しない最大サブブロックの個数を意味する。
【０１８７】
ＬＢＳ位置ビーコンは、トーン−ドロップされてから残った帯域幅のサイズを越えない最大の数だけのサブブロックで構成される。例えば、５乃至１０ＭＨｚの正規帯域幅にトーン−ドロッピングが適用されると、１０ＭＨｚに該当するサブブロックの数である１６から、制御チャネルのためにドロップされたサブブロックの個数を引いたサブブロックでＬＢＳ位置ビーコンを構成し、１０乃至２０ＭＨｚの正規帯域幅にトーン−ドロッピングが適用されると、２０ＭＨｚに該当するサブブロックの数である３２個から、制御チャネルのためにドロップされたサブブロックの個数を引いたサブブロックでＬＢＳ位置ビーコンを構成する。
【０１８８】
例えば、表１１を参照すると、制御チャネルを除く残りのリソースバンドが１２．５ＭＨｚ以上１３．７ＭＨｚ未満のサイズを有すると、ＬＢＳ位置ビーコンはインデックス６に該当するシーケンスのサブブロックで構成される。すなわち、ＤＣ成分を基準に、左にはＣ、Ｄ、Ｅ、Ｆ、Ｇ、Ｈ、Ａ、Ｂ、Ｃ、Ｄの順にＬＢＳ位置ビーコンサブブロックを副搬送波にマッピングし、右にはＥ、Ｆ、Ｇ、Ｈ、Ａ、Ｂ、Ｃ、Ｄ、Ｅ、Ｆの順にＬＢＳ位置ビーコンサブブロックを副搬送波にマッピングして端末に転送することができる。
【０１８９】
表１２乃至表１４は、各セグメント別サブブロックＡ  Ｂ、Ｃ、Ｄ、Ｅ、Ｆ、Ｇ及びＨのＬＢＳ位置ビーコンシーケンスを例示する。各シーケンスは、インデックスｑにより指示され、１６進数で表示された。表１２乃至表１４のシーケンスはそれぞれ、セグメント０乃至２に対応することができる。表１２乃至表１４で、ｂｌｋはそれぞれのシーケンスを構成するサブブロックを表す。表１２はｎ＝０（セグメント０）に対するシーケンスを、表１３はｎ＝１（セグメント１）に対するシーケンスを、表１３はｎ＝２（セグメント２）に対するシーケンスをそれぞれ表す。
【０１９０】
【表１２】
0005611352.tif 000024
【０１９１】
【表１３】
0005611352.tif 000025
【０１９２】
【表１４】
0005611352.tif 000026
【０１９３】
既存ＳＡ−プリアンブル信号を、本発明のＬＢＳ位置ビーコンに活用できることについては前述した通りである。すなわち、基地局は、該当のＳＡ−プリアンブル信号を、該基地局のＬＢＳ位置ビーコンが転送されるべき位置で端末に転送することができる。該基地局が転送する該当のＳＡ−プリアンブル信号と該基地局のセルＩＤとの関係は、下記の数学式１２及び数学式１３によって決定することができる。
【０１９４】
【数１２】
0005611352.tif 000027
【０１９５】
ここで、ｎは、ＳＡ−プリアンブル搬送波セットインデックスで、０、１及び２のうち一つの値を有し、セグメントＩＤを表す。Ｉｄｘは、下記の数学式１３により決定される。
【０１９６】
【数１３】
0005611352.tif 000028
【０１９７】
ここで、シーケンスインデックスｑは、０〜２５５の整数である。例えば、表１２〜表１４のシーケンスから、特定セグメントＩＤの特定シーケンスインデックスｑに該当するサブブロックのシーケンスがわかる。
【０１９８】
複数の基地局のＬＢＳ位置ビーコンの転送
ＬＢＳゾーンを支援するように構成された基地局は、前述した本発明の実施例によって相互調停してＬＢＳ位置ビーコンを転送することができる。図２１乃至図２４は、前述した本発明の実施例によって位置測定用信号を転送する複数の基地局同士の動作例を示す図である。
【０１９９】
基地局は、位置測定のための信号を、該当のカバレッジ内の端末に転送することができる。図１を参照すると、端末は、隣接する基地局Ａ（ＢＳ  Ａ）、基地局Ｂ（ＢＳ  Ｂ）、基地局Ｃ（ＢＳ  Ｃ）からそれぞれ位置測定用信号を受信することができる。この時、ＢＳ  Ａ、ＢＳ  Ｂ及びＢＳ  ＣがＬＢＳ位置ビーコンを転送する時点が問題となる。以下では、特定セルの基地局がＬＢＳ位置ビーコンを転送する時に、隣接する基地局が該当のＬＢＳゾーン区間でＬＢＳ位置測定信号を転送する実施例を説明する。参考として、前述したＬＢＳ位置測定信号転送の第１方案のうち図１３の実施例を例にし、ＬＢＳ位置測定信号転送の第２方案のうち図１４（ｃ）の実施例を例にして、本発明の複数の隣接基地局同士の信号転送の実施例１及び２を説明する。しかし、図２１乃至図２４の実施例は、上記第１方案の他の実施例、及び上記第２方案の他の実施例にも同様の方式で適用することができる。図２１乃至図２４で説明する実施例によれば、ＬＢＳ位置ビーコンの転送が多数の基地局にわたって調停されてなることから、端末が位置決定に関連するパラメータを容易に測定できるというメリットがある。
【０２００】
−複数の基地局のＬＢＳ位置測定信号転送の実施例１
各基地局は、他の基地局の動作にかかわらずに、ＬＢＳゾーン内の再使用パターンの少なくとも一つにＬＢＳ位置ビーコンを転送することができる。
【０２０１】
図２１を参照すると、例えば、ＬＢＳゾーン区間で、ＢＳ  Ａは、ＳＵ０内のＦ３のＳＡ−プリアンブルシンボルのうちＣａｒｒｉｅｒＳｅｔ０にＬＢＳ位置ビーコンを転送し、ＢＳ  Ｂは、ＳＵ１内のＦ３のＳＡ−プリアンブルシンボルのうちＣａｒｒｉｅｒＳｅｔ１にＬＢＳ位置ビーコンを転送し、ＢＳ  Ｃは、ＳＵ１内のＦ３のＳＡ−プリアンブルシンボルのうちＣａｒｒｉｅｒＳｅｔ０にＬＢＳ位置ビーコンを転送することができる。この時、ＬＢＳ位置ビーコンが実際に割り当てられない再使用パターンはいずれもミュートされる。
【０２０２】
図２２を参照すると、例えば、ＬＢＳゾーンは、１スーパーフレーム内の１フレームの１サブフレームの２番目のシンボルから６番目のシンボル、及びＣａｒｒｉｅｒＳｅｔ０及びＣａｒｒｉｅｒＳｅｔ１により定義される総１０個の再使用パターンを支援することができる。このＬＢＳゾーン区間で、ＢＳ  Ａは、ＬＢＳシンボル０のＣａｒｒｉｅｒＳｅｔ１を通じてＬＢＳ位置ビーコンを転送し、ＢＳ  Ｂは、ＬＢＳシンボル３のＣａｒｒｉｅｒＳｅｔ２を通じてＬＢＳ位置ビーコンを転送し、ＢＳ  Ｃは、ＬＢＳシンボル２のＣａｒｒｉｅｒＳｅｔ１を通じてＬＢＳ位置ビーコンを転送することができる。この時、ＬＢＳ位置ビーコンが実際に割り当てられない残りの再使用パターンはいずれもミュートされる。
【０２０３】
本実施例１によれば、端末は、ＬＢＳゾーンでＢＳ  Ａ、ＢＳ  Ｂ及びＢＳ  ＣのそれぞれからＬＢＳ位置ビーコンを受信して位置測定を行うことができる。ＢＳ  Ａ、ＢＳ  Ｂ及びＢＳ  Ｃは互いに直交するリソース上にＬＢＳ位置ビーコンを転送するから、各基地局が転送するＬＢＳ位置ビーコン同士の干渉が小さい。
【０２０４】
−複数の基地局のＬＢＳ位置測定信号転送の実施例２
本発明によれば、各基地局が特定シンボル及び搬送波セットにＬＢＳ位置ビーコンを転送するので、隣接する基地局が同一シンボル及び同一搬送波セットにＬＢＳ位置ビーコンを転送する確率は低くなる。特に、この確率は、隣接する基地局同士が互いに異なるシンボル及び搬送波セットにＬＢＳ位置ビーコンを転送するようにスケジューリングされる場合にはより低くなる。しかし、隣接基地局同士のＬＢＳ位置ビーコンの転送シンボル及び搬送波がオーバーラップして干渉を起こす可能性をより低くするために、特定基地局が実際にＬＢＳ位置ビーコンを転送する区間では、隣接基地局がＬＢＳ位置ビーコンの再使用パターンを全てミュートしてもよい。
【０２０５】
図２３及び図２４を参照すると、例えば、ＢＳ  ＡがＬＢＳ位置ビーコンを転送する場合に、隣接基地局であるＢＳ  ＢとＢＳ  Ｂは、該当のＬＢＳゾーン内のＬＢＳ位置ビーコンのための再使用パターンを全てミュートしたまま、当該ＬＢＳゾーン内のダウンリンクサブフレームを端末に転送することができる。ＢＳ  ＢがＬＢＳ位置ビーコンを転送する場合に、ＢＳ  ＡとＢＳ  Ｃは、ＬＢＳゾーン内の全てのＬＢＳ位置ビーコンのための再使用パターンをミュートしたまま、当該ＬＢＳゾーン内のダウンリンクサブフレームを端末に転送する。ＢＳ  ＣがＬＢＳ位置ビーコンを転送する場合に、ＢＳ  ＡとＢＳ  Ｂは、ＬＢＳゾーン内の全てのＬＢＳ位置ビーコンをミュートしたまま、当該ＬＢＳゾーン内のダウンリンクサブフレームを端末に転送する。
【０２０６】
本実施例２によれば、端末は、ＢＳ  ＡがＬＢＳ位置ビーコンを転送するＬＢＳゾーンでは、ＢＳ  Ａが転送したＬＢＳ位置ビーコンのみを受信し、ＢＳ  ＢがＬＢＳ位置ビーコンを転送するＬＢＳゾーンでは、ＢＳ  Ｂが転送したＬＢＳ位置ビーコンのみを受信し、ＢＳ  ＣがＬＢＳ位置ビーコンを転送するＬＢＳゾーンでは、ＢＳ  Ｃが転送したＬＢＳ位置ビーコンのみを受信するようになる。
【０２０７】
一方、この時、特定セルがＬＢＳ位置ビーコンを転送する時に、該特定セルにおける基地局以外の全てのセルにおける基地局が、当該ＬＢＳ位置ビーコンが転送されるＬＢＳゾーン内の再使用パターンをミュートすると、ＬＢＳのための位置測定性能は最適化できるが、それによるシステム容量（ｔｈｒｏｕｇｈｐｕｔ）の損失が増加するという問題につながる。そのため、ＢＳ同士のスケジューリングあるいは伝送計画に応じて一定範囲のサイトあるいは一定範囲のセルまではＬＢＳ位置ビーコンのための再使用パターンをミュートし、残りのセルは既存方式の通りにスーパーフレームを構成して端末に転送することができる。例えば、ＢＳ  Ａの属しているサイトあるいはティアー（ｔｉｅｒ）内の全ての基地局は、ＢＳ  ＡがＬＢＳ位置ビーコンを転送する時に、該当のＬＢＳゾーン内のＬＢＳ位置ビーコン用の再使用パターンをミュートする。しかし、ＢＳ  Ａの位置から遠く離れているサイトあるいはその次のティアー内の基地局は、ＬＢＳ位置ビーコン用の再使用パターンをミュートせずに、再使用パターンの少なくとも一つに自身のＬＢＳ位置ビーコンを割り当てて端末に転送することができる。あるいは、ＬＢＳゾーンを構成せずに、既存方式の通りにスーパーフレームを構成して端末に転送することもできる。例えば、本発明に係るＬＢＳ位置測定信号転送の第１方案において、ＢＳ  Ａから遠く離れている基地局は、既存ＳＡ−プリアンブルをＬＢＳ位置ビーコンに代えずに、既存ＳＡ−プリアンブルをそのまま割り当てて端末に転送することができる。他の例として、本発明に係るＬＢＳ位置測定信号転送の第２方案において、ＢＳ  Ａから遠く離れている基地局は、ＬＢＳ位置ビーコンを転送可能な再使用パターンにＬＢＳ位置ビーコンを割り当てず、既存方式の通りにデータまたは制御チャネルを割り当てて端末に転送することができる。
【０２０８】
本実施例２によれば、隣接基地局にわたってＬＢＳ位置ビーコンが時間多重化されて転送されるため、多数の基地局から転送されたＬＢＳ位置ビーコンの探知及び測定が簡素化できるという利点がある。
【０２０９】
図２及び図３を参照して、本発明の実施例のいずれかによってＬＢＳ位置ビーコンを転送する基地局と、該ＬＢＳ位置ビーコンを受信して位置測定を行う端末の動作について説明すると、下記の通りである。
【０２１０】
本発明の基地局プロセッサ４００ｂは、図５または図６の実施例のいずれかによってＬＢＳゾーンを構成することができる。この場合、基地局プロセッサ４００ｂは、ＬＢＳゾーンの活性化されたか否かを示す情報及び／またはＬＢＳゾーンの転送周期情報、または位置測定を指示する情報を含むＭＡＣ制御メッセージ、ＳＦＨまたはＰＡ−プリアンブルを生成し、基地局送信器１００ｂを制御して、上記情報を含めてなるＭＡＣ制御メッセージ、ＳＦＨまたはＰＡ−プリアンブルをブロードキャストすることができる。基地局プロセッサ４００ｂは、ＬＢＳゾーンの活性化されたか否かを示す情報及び／またはＬＢＳゾーンの転送周期情報、または位置測定を指示する情報を含むＭＡＣ制御メッセージ、ＳＦＨまたはＰＡ−プリアンブルと共に隣接基地局の地理的位置（ｇｅｏ−ｌｏｃａｔｉｏｎ）に関する情報を生成して、基地局送信器１００ｂを制御して端末に提供することができる。端末は、隣接基地局の地理的位置に関する情報を、当該端末の位置決定のための三角測量（ｔｒｉａｎｇｕｌａｒｉｚａｔｉｏｎ）または三辺測量（ｔｒｉｌａｔｅｒａｔｉｏｎ）のために用いることができる。また、基地局プロセッサ４００ｂは、端末がどんな位置関連パラメータ（例えば、ＲＳＳＩ、ＲＤなど）を測定して報告しなければならないかに関する情報を生成し、これを、基地局送信器１００ｂを制御して当該端末にシグナリングすることもできる。
【０２１１】
基地局プロセッサ４００ｂは、図７及び図８で説明したように、ＬＢＳゾーンを連続して複数個生成し、基地局送信器１００ｂを制御して、複数個のＬＢＳゾーンを端末に転送することができる。基地局送信器１００ｂ及び基地局アンテナ５００ｂは、基地局プロセッサ４００ｂの制御下に、ＬＢＳゾーンを構成するスーパーフレームを端末に転送する。
【０２１２】
基地局プロセッサ４００ｂは、図９乃至図１９の実施例のいずれか一方によってＬＢＳゾーンが支援するＬＢＳ位置ビーコン用の再使用パターンの少なくとも一つにＬＢＳ位置ビーコンを割り当てるように基地局送信器１００ｂを支援することができる。
【０２１３】
基地局プロセッサ４００ｂの制御下に、副搬送波マッパー１３０−１，…，１３０−Ｋは、ＬＢＳ位置ビーコンを、図９乃至図１９の実施例のいずれか一方によるＬＢＳ位置ビーコン用の再使用パターンの少なくとも一つに割り当てるように構成される。基地局プロセッサ４００ｂは、図２０及び／または表１４の実施例によって、ＬＢＳ位置ビーコン用サブブロックをＬＢＳシンボルの副搬送波にマッピングするように副搬送波マッパー１３０−１，…，１３０−Ｋを制御することができる。
【０２１４】
これと関連して、基地局プロセッサ４００ｂは、セル／セクターとは無関係に、すなわち、セル／セクターＩＤを考慮せずに、ＬＢＳゾーン内の多数のＬＢＳ位置ビーコン用の再使用パターンのうち、ＬＢＳ位置ビーコンが転送される再使用パターンを決定することができる。基地局プロセッサ４００ｂの制御下に、副搬送波マッパー１３０−１，…，１３０−Ｋは、基地局のＬＢＳ位置ビーコンを、当該決定された再使用パターンに割り当てる。この時、基地局プロセッサ４００ｂは、ＬＢＳ位置ビーコンが実際に割り当てられた再使用パターンを特定する情報を生成し、該情報を、基地局送信器１００ｂを制御して端末に転送することができる。特に、基地局プロセッサ４００ｂは、上記情報を含むようにＭＡＣ制御メッセージ、ＳＦＨまたはＰＡ−プリアンブルを生成することができ、上記情報を含むＭＡＣ制御メッセージ、ＳＦＨまたはＰＡ−プリアンブルを端末に転送するように、基地局送信器１００ｂを制御することができる。
【０２１５】
一方、基地局プロセッサ４００ｂは、基地局が属しているセルに特定して、すなわち、セル−ＩＤに基づいて再使用パターンのいずれの再使用パターンにＬＢＳ位置ビーコンを割り当てるかを決定することができる。基地局プロセッサ４００ｂは、ＬＢＳ位置ビーコンが実際に割り当てられた再使用パターンを特定する情報を生成し、基地局送信器１００ｂを制御して、上記情報を明示的に端末に転送することができる。特に、基地局プロセッサ４００ｂは、上記情報を含むようにＭＡＣ制御メッセージ、ＳＦＨまたはＰＡ−プリアンブルを生成することができ、上記情報を含むＭＡＣ制御メッセージ、ＳＦＨまたはＰＡ−プリアンブルを端末に転送するように、基地局送信器１００ｂを制御することができる。または、基地局により転送されたＬＢＳ位置ビーコンが割り当てられた再使用パターンが、セルＩＤ情報を含むＳＡ−プリアンブルを通じて、暗黙的に端末にシグナリングされてもよい。
【０２１６】
表１乃至表１０で説明したように、基地局の属している無線システムで使用可能な複数のセルＩＤは、一つのＬＢＳゾーンが支援する再使用パターンの個数によってグルーピングされる。同一のセルＩＤを持つ基地局は、同一の再使用パターンにＬＢＳ位置ビーコンを割り当てる。セル−特定的にＬＢＳ位置ビーコンを転送する時に、基地局プロセッサ４００ｂは、表１乃至表１０で説明したように、該当のセルが属しているグループに対応するＬＢＳシンボル及び搬送波セットにＬＢＳ位置ビーコンを割り当てるように、基地局送信器１００ｂを制御することができる。副搬送波マッパー１３０−１，…，１３０−Ｋは、基地局プロセッサ４００ｂの制御下に、ＬＢＳ位置ビーコンを、基地局のセルＩＤが属しているグループのＬＢＳシンボル及び搬送波セットに割り当てるように構成される。基地局送信器１００ｂは、基地局プロセッサ４００ｂの制御下に、ＬＢＳシンボルタイミングに搬送波セットを通じてＬＢＳ位置ビーコンを端末に転送する。
【０２１７】
ＬＢＳシンボルタイミング及び搬送波セットを通じて転送されるＬＢＳ位置ビーコンは、既存ＳＡ−プリアンブル信号でよい。すなわち、基地局プロセッサ４００ｂは、基地局のセルＩＤが属しているグループのＬＢＳシンボル及び搬送波セットに該セルＩＤに該当するＳＡ−プリアンブルを割り当てるように、基地局送信器１００ｂを制御することができる。基地局送信器１００ｂは、基地局プロセッサ４００ｂの制御下に、該当のＳＡ−プリアンブル信号を、セルＩＤが属しているグループのＬＢＳシンボル及び搬送波セットで端末に転送することができる。
【０２１８】
一方、基地局プロセッサ４００ｂは、該基地局に隣接している基地局がＬＢＳゾーンでＬＢＳ位置ビーコンをブロードキャストする場合に、図２１及び図２２で説明した実施例１のように、該ＬＢＳゾーン内の再使用パターンの少なくとも一つにＬＢＳ位置ビーコンを割り当ててブロードキャストすることができる。この時、基地局プロセッサ４００ｂは、ＬＢＳ位置ビーコンが割り当てられていない残りの再使用パターンはミュートするように、基地局送信器１００ｂを制御することができる。基地局プロセッサ４００ｂの制御下に、副搬送波マッパー１３０−１，…，１３０−Ｋが、上記少なくとも一つの再使用パターンにはＬＢＳ位置ビーコンを割り当て、それ以外の再使用パターンには信号をドロップするように構成することができる。すなわち、副搬送波マッパー１３０−１，…，１３０−Ｋは、ＬＢＳゾーン内の少なくとも一つの再使用パターンを構成するＬＢＳシンボル及び搬送波セットにＬＢＳ位置ビーコンを割り当て、該ＬＢＳゾーン内の残りの再使用パターンに該当するＬＢＳシンボル及び搬送波セットには信号を割り当てない。基地局送信器１００ｂは、基地局プロセッサ４００ｂの制御下に、ＬＢＳ位置ビーコンの割り当てられた再使用パターンのＬＢＳシンボルタイミングに該再使用パターンの搬送波セットを通じてＬＢＳ位置ビーコンを端末に転送する。基地局送信器１００ｂは、基地局プロセッサ４００ｂの制御下に、ＬＢＳ位置ビーコンが割り当てられていない再使用パターンのＬＢＳシンボルタイミング及び搬送波セットでは信号を転送しない。
【０２１９】
または、基地局プロセッサ４００ｂは、該基地局に隣接している基地局がＬＢＳゾーンでＬＢＳ位置ビーコンをブロードキャストする場合に、図２３及び図２４で説明した実施例２のように、当該ＬＢＳゾーン内の再使用パターンを全てミュートするように基地局送信器１００ｂを制御することができる。基地局プロセッサ４００ｂの制御下に、副搬送波マッパー１３０−１，…，１３０−Ｋは、隣接基地局がＬＢＳ位置ビーコンを実際に転送するＬＢＳゾーン区間内の全ての再使用パターンには信号をドロップするように構成することができる。すなわち、副搬送波マッパー１３０−１，…，１３０−Ｋは、隣接基地局がＬＢＳ位置ビーコンを実際に転送するＬＢＳゾーン内の各再使用パターンを構成するＬＢＳシンボル及び搬送波セットに信号を割り当てない。基地局送信器１００ｂは、基地局プロセッサ４００ｂの制御下に、隣接基地局がＬＢＳ位置ビーコンを転送するＬＢＳゾーン内の各再使用パターンのＬＢＳシンボルタイミング及び搬送波セットでは信号を転送しない。
【０２２０】
本発明の実施例によってＬＢＳ位置ビーコンを転送するにあって、基地局プロセッサ４００ｂを、他の基地局のプロセッサと協力してＬＢＳゾーンにおけるＬＢＳ位置ビーコンの転送をスケジューリングするように構成することができる。
【０２２１】
一方、基地局プロセッサ４００ｂは、端末によりスキャンされるべき隣接基地局の位置及び該隣接基地局を識別する情報を生成し、基地局送信器１００ｂを制御して当該端末にシグナリングすることができる。
【０２２２】
端末は、ＭＡＣ制御メッセージ、ＳＦＨまたはＰＡ−プリアンブルに含まれたＬＢＳゾーン活性化情報及び／またはＬＢＳゾーンの転送周期情報、または位置測定を指示する情報を探知し、該当のＬＢＳゾーン内のＬＢＳ位置ビーコンをスキャンすることができる。端末は、複数のセルからそれぞれ転送されたＬＢＳ位置ビーコンを受信し、該ＬＢＳ位置ビーコンに基づき、該端末の位置関連パラメータ、例えば、ＲＤ、ＲＴＤ、ＲＳＳＩなどを測定することができる。例えば、各セルから送信されたＬＢＳ位置ビーコンが端末に到達したタイミングの差を用いて、各セルが転送したＬＢＳ位置ビーコンのＲＤ及び／またはＲＴＤを測定できる。端末はＬＢＳ位置ビーコンのＲＤ及び／またはＲＴＤに基づいて該端末の位置を決定することができる。他の例として、端末は、複数のセルから受信した複数のＬＢＳ位置ビーコン間の転送時間と受信時間との差を計算できる。該端末は、ＬＢＳ位置ビーコン間の転送時間と受信時間との差に基づき、無線通信システム内で当該端末の位置、あるいは複数のセルで構成された通信システム内で当該端末の位置を決定することができる。あるいは、位置関連パラメータを、複数のセルに属している基地局にフィードバックすることができる。それら基地局は位置関連パラメータに基づいて当該端末の位置を決定することができる。
【０２２３】
図２及び図３を参照すると、端末受信器３００ａは、各セルの基地局からＬＢＳゾーンの活性化されたか否か及び／またはＬＢＳゾーンの転送周期を表したり、位置測定を指示するＭＡＣ制御メッセージ、ＳＦＨまたはＰＡ−プリアンブルを受信することができる。端末受信器３００ａは、ＭＡＣ制御メッセージ、ＳＦＨまたはＰＡ−プリアンブルを端末プロセッサ４００ａに伝達し、端末プロセッサ４００ａは、ＭＡＣ制御メッセージ、ＳＦＨまたはＰＡ−プリアンブルに基づいてＬＢＳゾーンの属しているスーパーフレームがわかる。したがって、端末プロセッサ４００ａは、ＬＢＳゾーンの属しているスーパーフレーム内のＬＢＳ位置ビーコンを収集することができる。端末受信器３００ａは基地局から隣接基地局の地理的位置に関する情報を受信して端末プロセッサ４００ａに伝達することができる。端末プロセッサ４００ａは、それら隣接基地局の地理的位置に関する情報を端末の位置決定のための三角測量または三辺測量に用いることができる。
【０２２４】
端末受信器３００ａは、端末に隣接している複数のセルから、前述の本発明の実施例によって、ＬＢＳゾーンを通じてそれらセルの基地局が転送したＬＢＳ位置ビーコンを受信する。端末受信器３００ａは、ＬＢＳ位置ビーコンを端末プロセッサ４００ａに伝達する。端末は、ＬＢＳ位置ビーコンを用いた当該端末の位置測定のために、ＬＢＳ位置ビーコンを測定する測定モジュールを備えることができる。測定モジュールは、端末受信器３００ａまたは端末プロセッサ４００ａに含まれてもよく、別途の独立したモジュールにしてもよい。基地局が、端末によりスキャンされるべきセルに関する情報を当該端末にシグナリングした場合に、端末プロセッサ４００ａは、当該基地局により指定された隣接セルからの信号をスキャンしてＬＢＳ位置ビーコンを受信するように端末受信器３００ａを制御することができる。
【０２２５】
端末プロセッサ４００ａは、隣接セルからのＬＢＳ位置ビーコンに基づいて端末の位置関連パラメータ、例えば、ＲＤ、ＲＴＤ、ＲＳＳＩなどを測定することができる。端末が基地局から測定すべき位置関連パラメータを指定された場合に、端末プロセッサ４００ａは、該基地局が指定した位置関連パラメータを測定し、端末送信器１００ａを制御して当該基地局に報告することができる。
【０２２６】
端末プロセッサ４００ａを、位置関連パラメータに基づき、隣接したセルで構成された無線システムにおいて端末の位置を計算するように構成することができる。端末プロセッサ４００ａは、位置関連パラメータ及び／または端末の計算された位置を隣接セルの基地局に転送するように端末送信器１００ａを制御することができる。
【０２２７】
他の例として、端末プロセッサ４００ａは、位置関連パラメータを隣接したセルにフィードバックするように端末送信器１００ａを制御することができる。位置関連パラメータがフィードバックされた基地局のプロセッサ１００ｂを、位置関連パラメータに基づいて端末の位置を決定するように構成することができる。
【０２２８】
以上の本発明の好適な実施例についての詳細な説明は、当業者が本発明を具現し実施できるように提供された。以上では本発明の好適な実施例を参照して説明したが、当該技術の分野における熟練した当業者には、下記の特許請求の範囲に記載された本発明の思想及び領域から逸脱しない範囲内で本発明を様々に修正及び変更できるということが理解されるであろう。したがって、本発明は、ここに示した実施の形態に制限されるものではなく、ここに開示された原理及び新規特徴と一致する最も広いの範囲を与えるためのものである。
【産業上の利用可能性】
【０２２９】
本発明の実施例を、無線通信システムにおいて基地局、端末またはその他の装備に用いることができる。
【図２０】
0005611352.tif 000029
【図１】
0005611352.tif 000030
【図２】
0005611352.tif 000031
【図３】
0005611352.tif 000032
【図４】
0005611352.tif 000033
【図５】
0005611352.tif 000034
【図６】
0005611352.tif 000035
【図７】
0005611352.tif 000036
【図８】
0005611352.tif 000037
【図９】
0005611352.tif 000038
【図１０】
0005611352.tif 000039
【図１１】
0005611352.tif 000040
【図１２】
0005611352.tif 000041
【図１３】
0005611352.tif 000042
【図１４】
0005611352.tif 000043
【図１５】
0005611352.tif 000044
【図１６】
0005611352.tif 000045
【図１７】
0005611352.tif 000046
【図１８】
0005611352.tif 000047
【図１９】
0005611352.tif 000048
【図２１】
0005611352.tif 000049
【図２２】
0005611352.tif 000050
【図２３】
0005611352.tif 000051
【図２４】
0005611352.tif 000052